(57)【要約】  Ｅ−ＰＤＣＣＨの制御情報が送信されるシステムにおいて、ＡＣＫ／ＮＡＣＫの衝突を回避しつつ、ＡＣＫ／ＮＡＣＫリソースの利用効率を高めてＰＵＳＣＨの無駄な帯域減少を抑制すること。無線通信端末は、ＡＣＫ／ＮＡＣＫ指標を含んだ制御信号を拡張物理下り制御チャネルを介して受信する受信部と、前記ＡＣＫ／ＮＡＣＫ指標に基づき、下りデータのＡＣＫ／ＮＡＣＫ信号を、動的に割り当てられる動的ＡＣＫ／ＮＡＣＫリソースを用いて送信するか、予め指定された指定リソースを用いて送信するかを決定する制御部と、決定された前記動的ＡＣＫ／ＮＡＣＫリソースまたは前記指定リソースを用いて前記ＡＣＫ／ＮＡＣＫ信号を送信する送信部とを具備する構成を採る。
2013168405.tif 000002
【特許請求の範囲】
【請求項１】
ＡＣＫ／ＮＡＣＫ指標を含んだ制御信号を拡張物理下り制御チャネルを介して受信する受信部と、
前記ＡＣＫ／ＮＡＣＫ指標に基づき、下りデータのＡＣＫ／ＮＡＣＫ信号を、動的に割り当てられる動的ＡＣＫ／ＮＡＣＫリソースを用いて送信するか、予め指定された指定リソースを用いて送信するかを決定する制御部と、
決定された前記動的ＡＣＫ／ＮＡＣＫリソースまたは前記指定リソースを用いて前記ＡＣＫ／ＮＡＣＫ信号を送信する送信部と、
を具備する無線通信端末。
【請求項２】
前記拡張物理下り制御チャネルは、物理下りデータチャネルと周波数多重されたチャネルであり、
前記制御信号は、前記拡張物理下り制御チャネルを複数の要素に分割してなる複数の制御チャネル要素のうち任意の制御チャネル要素で送信され、
前記制御部は、上りチャネルに設けられた動的ＡＣＫ／ＮＡＣＫ領域に含まれる複数のリソースのうち、自機の制御信号が割り当てられた前記制御チャネル要素の番号に関連付けられたリソースを、前記動的ＡＣＫ／ＮＡＣＫリソースとして決定し、
前記ＡＣＫ／ＮＡＣＫ指標は、前記ＡＣＫ／ＮＡＣＫ信号を送信するリソースを切り替えるための情報である、
請求項１記載の無線通信端末。
【請求項３】
前記動的ＡＣＫ／ＮＡＣＫ領域は、
物理下りデータチャネルと時間多重される物理下り制御チャネルを介して受信した制御信号に応じて、前記ＡＣＫ／ＮＡＣＫ信号を送信するリソースが動的に割り当てられるリソース領域と重複して設定される、
請求項２記載の無線通信端末。
【請求項４】
前記指定リソースは、無線リソース制御の通知によって指定される、
請求項１記載の無線通信端末。
【請求項５】
前記動的ＡＣＫ／ＮＡＣＫ領域に含まれる複数のリソースとは、周波数リソースおよび符号リソースの両方又は一方からなる、
請求項２記載の無線通信端末。
【請求項６】
ＡＣＫ／ＮＡＣＫ指標を含んだ制御信号を拡張物理下り制御チャネルを介して受信する受信部と、
前記ＡＣＫ／ＮＡＣＫ指標に基づき、周波数領域で互いに分離された複数の動的ＡＣＫ／ＮＡＣＫ領域の中から何れかを選択し、選択された動的ＡＣＫ／ＮＡＣＫ領域に含まれる複数のリソースの中から、前記制御信号に応じて、下りデータのＡＣＫ／ＮＡＣＫ信号を送信する動的ＡＣＫ／ＮＡＣＫリソースを決定する制御部と、
選択された前記動的ＡＣＫ／ＮＡＣＫリソースにおける決定された前記動的ＡＣＫ／ＮＡＣＫリソースを用いて前記ＡＣＫ／ＮＡＣＫ信号を送信する送信部と、
を具備する無線通信端末。
【請求項７】
前記複数の動的ＡＣＫ／ＮＡＣＫ領域は、
物理下りデータチャネルと時間多重される物理下り制御チャネルを介して受信した制御信号に応じて前記ＡＣＫ／ＮＡＣＫ信号を送信するリソースが動的に割り当てられる複数のリソース領域にそれぞれ重複して設定され、
前記複数のリソース領域は、周波数領域で互いに分離され、ＡＣＫ／ＮＡＣＫ信号の送信電力の大きさに応じて何れか１つのリソース領域が選択されて前記物理下り制御チャネルの制御信号に応じたリソースの割り当てが行われる、
請求項６記載の無線通信端末。
【請求項８】
前記拡張物理下り制御チャネルは、物理下りデータチャネルと周波数多重されたチャネルであり、
前記制御信号は、前記拡張物理下り制御チャネルを複数の要素に分割してなる複数の制御チャネル要素のうち任意の制御チャネル要素で送信され、
前記制御部は、前記選択された動的ＡＣＫ／ＮＡＣＫ領域に含まれる複数のリソースのうち、自機の制御信号が割り当てられた前記制御チャネル要素の番号に関連付けられたリソースを、前記ＡＣＫ／ＮＡＣＫ信号を送信するリソースとして決定する、
請求項６記載の無線通信端末。
【請求項９】
前記制御部は、
前記ＡＣＫ／ＮＡＣＫ指標に基づき、信号生成用のパラメータを切り替えて、切り替えた前記信号生成用のパラメータに基づいて前記ＡＣＫ／ＮＡＣＫ信号を生成する、
請求項６記載の無線通信端末。
【請求項１０】
前記信号生成用のパラメータには、前記ＡＣＫ／ＮＡＣＫ信号を拡散する際に使用される基本系列、前記基本系列の巡回シフト量の遷移パターン、前記ＡＣＫ／ＮＡＣＫ信号の送信リソースの配置密度の１つまたは複数が含まれる、
請求項９記載の無線通信端末。
【請求項１１】
前記制御部は、
前記ＡＣＫ／ＮＡＣＫ指標に基づき、送信電力用パラメータを切り替えて、切り替えた前記送信電力用パラメータに基づいて前記ＡＣＫ／ＮＡＣＫ信号を送信する電力を決定する、
請求項６記載の無線通信端末。
【請求項１２】
前記送信電力用パラメータには、送信電力オフセット、パスロス推定用の参照信号、送信電力制御コマンド（ＴＰＣ）の累積値、電力制御パラメータの１つまたは複数が含まれる、
請求項１１記載の無線通信端末。
【請求項１３】
無線通信端末から下りデータのＡＣＫ／ＮＡＣＫ信号を送信させるリソースを、下りリンクの制御信号に応じて動的に割り当てられる動的ＡＣＫ／ＮＡＣＫリソースとするか、予め指定された指定リソースとするかを判別する制御部と、
前記制御部の判別結果を表わすＡＣＫ／ＮＡＣＫ指標を含んだ制御信号を拡張物理下り制御チャネルで送信する送信部と、
を具備する基地局装置。
【請求項１４】
無線通信端末から下りデータのＡＣＫ／ＮＡＣＫ信号を送信させるリソースを、周波数領域で互いに分離された複数の動的ＡＣＫ／ＮＡＣＫ領域のうち何れの動的ＡＣＫ／ＮＡＣＫ領域に割り当てるか判別する制御部と、
前記制御部の判別結果を表わすＡＣＫ／ＮＡＣＫ指標を含んだ制御信号を、拡張物理下り制御チャネルにおける前記ＡＣＫ／ＮＡＣＫ信号を送信させるリソースと関連付けられた制御チャネル要素で送信する送信部と、
を具備する基地局装置。
【請求項１５】
ＡＣＫ／ＮＡＣＫ指標を含んだ制御信号を拡張物理下り制御チャネルを介して受信し、
前記ＡＣＫ／ＮＡＣＫ指標に基づき、下りデータのＡＣＫ／ＮＡＣＫ信号を、動的に割り当てられる動的ＡＣＫ／ＮＡＣＫリソースを用いて送信するか、予め指定された指定リソースを用いて送信するかを決定する、
リソース割当方法。
【請求項１６】
ＡＣＫ／ＮＡＣＫ指標を含んだ制御信号を拡張物理下り制御チャネルを介して受信し、
前記ＡＣＫ／ＮＡＣＫ指標に基づき、周波数領域で互いに分離された複数の動的ＡＣＫ／ＮＡＣＫ領域の中から何れかを選択し、選択された動的ＡＣＫ／ＮＡＣＫ領域に含まれる複数のリソースの中から、前記制御信号に応じて、下りデータのＡＣＫ／ＮＡＣＫ信号を送信する動的ＡＣＫ／ＮＡＣＫリソースを決定する、
リソース割当方法。
【発明の詳細な説明】
【技術分野】
【０００１】
本発明は、無線通信端末、基地局装置およびＡＣＫ／ＮＡＣＫ信号のリソース割当方法に関する。
【背景技術】
【０００２】
３ＧＰＰ（3rd Generation Partnership Project Radio Access Network）にて策定されたＬＴＥ（Long Term Evolution）  Ｒｅｌ．８（Release 8）およびその拡張版であるＬＴＥ  Ｒｅｌ．１０（LTE-Advanced）といった規格がある。これらの規格では、基地局は、無線通信端末（「ＵＥ（User Equipment）」とも呼ばれる。以下、「端末」と記す）がデータを送受信するための制御情報を、下り回線のＰＤＣＣＨ（Physical downlink control channel：物理下り制御チャネル）にて送信する（非特許文献１〜３を参照）。図１は、下り回線のサブフレーム構成を示す。サブフレーム内には、制御信号を送信するＰＤＣＣＨとデータ信号を送信するＰＤＳＣＨ（Physical downlink shared channel：物理下りデータチャネル）とが時間多重される。端末は始めにＰＤＣＣＨから自身に送信された制御情報を復号し、下り回線でのデータ受信に必要な周波数割り当て、および、適応制御などに関する情報を得る。その後、端末は、制御情報に基づき、ＰＤＳＣＨに含まれる自身のデータを復号する。また、ＰＤＣＣＨに上り回線でのデータ送信を許可する制御情報が含まれている場合には、端末は、制御情報に基づき上り回線のＰＵＳＣＨ（Physical uplink shared channel：物理上りデータチャネル）にてデータを送信する。【０００３】
下り回線のデータ送受信には、誤り訂正復号と自動再送要求を組み合わせたＨＡＲＱ（Hybrid automatic request）が導入されている。端末は受信データの誤り訂正復号を行ったのち、データに付加されたＣＲＣ（Cyclic redundancy checksum）に基づき、データが正しく復号できているか否かを判定する。復号できていれば、端末は、基地局に対してＡＣＫをフィードバックする。一方復号できなければ、端末は、基地局に対してＮＡＣＫをフィードバックし、誤りが検出されたデータの再送を促す。このようなＡＣＫ／ＮＡＣＫ（確認応答、以下「Ａ／Ｎ」と記す）のフィードバックは、上り回線で送信される。Ａ／Ｎは、送信時点でＰＵＳＣＨにデータ割り当てがなければＰＵＣＣＨ（Physical uplink control channel物理上り制御チャネル）にて送信される。一方、Ａ／Ｎ送信時点でＰＵＳＣＨにデータ割り当てがある場合、Ａ／Ｎは、ＰＵＣＣＨまたはＰＵＳＣＨいずれかにて送信される。このときＰＵＣＣＨとＰＵＳＣＨどちらで送信するかについては、基地局が予め端末に対して指示している。図２は、ＰＵＳＣＨとＰＵＣＣＨとを含む上りリンクサブフレーム構成を示す。【０００４】
Ａ／ＮをＰＵＣＣＨで送信する場合には、複数の場合分けが存在する。例えば、Ａ／Ｎの送信が周期的に上り回線で送信されるＣＳＩ（Channel state information）のフィードバックと重複した場合、ＰＵＣＣＨ  ｆｏｒｍａｔｓ  ２ａ／２ｂが用いられる。また、下り回線において、複数のキャリアを束ねて送信するキャリアアグリゲーションがＯＮとなっていて、かつキャリア数が３以上の場合には、ＰＵＣＣＨ  ｆｏｒｍａｔ  ３が用いられる。一方、キャリアアグリゲーションがＯＦＦ、またはＯＮでもキャリア数が２以下であって、Ａ／Ｎ以外と上りスケジューリングリクエスト以外に送信する制御情報が無ければ、ＰＵＣＣＨ  ｆｏｒｍａｔｓ  １ａ／１ｂが用いられる。下りデータの方が上りデータよりも頻繁に送信されること、ＣＳＩフィードバックの周期は下りデータの割り当てよりも頻繁でないことを考慮すれば、Ａ／ＮはＰＵＣＣＨ  ｆｏｒｍａｔｓ  １ａ／１ｂで送信されることが最も多い。以下では、ＰＵＣＣＨ  ｆｏｒｍａｔｓ  １ａ／１ｂに着目して述べる。【０００５】
図３は、ＰＵＣＣＨ  ｆｏｒｍａｔｓ  １ａ／１ｂのスロット構成を示す。複数の端末が送信するＡ／Ｎ信号は、系列長４のウォルシュ系列および系列長３のＤＦＴ（Discrete Fourier transform）系列により拡散され、符号多重して基地局で受信される。図３において（Ｗ０、Ｗ１、Ｗ２、Ｗ３）および（Ｆ０、Ｆ１、Ｆ２）はそれぞれ前述のウォルシュ系列およびＤＦＴ系列を表す。端末では、ＡＣＫ又はＮＡＣＫを表す信号が、まず周波数軸上でＺＡＣ（Zero auto-correlation）系列（系列長１２［サブキャリア］）によって１ＳＣ−ＦＤＭＡシンボルに対応する周波数成分へ１次拡散される。すなわち、系列長１２のＺＡＣ系列に対して複素数で表されるＡ／Ｎ信号成分が乗算される。次いで１次拡散後のＡ／Ｎ信号および参照信号としてのＺＡＣ系列が、ウォルシュ系列（系列長４：Ｗ０〜Ｗ３。ウォルシュ符号系列（Walsh Code Sequence）と呼ばれることもある）およびＤＦＴ系列（系列長３：Ｆ０〜Ｆ２）によって２次拡散される。すなわち、系列長１２の信号（１次拡散後のＡ／Ｎ信号、又は、参照信号としてのＺＡＣ系列（Reference Signal Sequence））のそれぞれの成分に対して、直交符号系列（Orthogonal sequence：例えばウォルシュ系列又はＤＦＴ系列）の各成分が乗算される。さらに、２次拡散された信号が、ＩＦＦＴ（Inverse Fast Fourier Transform）によって時間軸上の系列長１２［サブキャリア］の信号に変換される。そして、ＩＦＦＴ後の信号それぞれに対しＣＰ（Cyclic Prefix）が付加されて、７つのＳＣ−ＦＤＭＡシンボルからなる１スロットの信号が形成される。【０００６】
異なる端末からのＡ／Ｎ信号同士は、異なる巡回シフト量（Cyclic Shift Index）に対応するＺＡＣ系列、又は、異なる系列番号（Orthogonal Cover Index : OC index）に対応する直交符号系列を用いて拡散されている。直交符号系列は、ウォルシュ系列とＤＦＴ系列との組である。また、直交符号系列はブロックワイズ拡散符号系列（Block-wise spreading code）と称されることもある。従って、基地局は、従来の逆拡散及び相関処理を用いることにより、これら符号多重および巡回シフト多重された複数のＡ／Ｎ信号を分離することができる。なお、周波数リソースブロック（ＲＢ）あたりに符号多重および巡回シフト多重できるＡ／Ｎ数は限りがあるため、端末の数が多くなると異なるＲＢに周波数多重される。以下、Ａ／Ｎが送信される符号−ＲＢリソースをＡ／Ｎリソースと呼ぶ。Ａ／Ｎリソースの番号は、Ａ／Ｎを送信するＲＢ番号と、そのＲＢにおける符号番号および巡回シフト量により決定される。ＺＡＣ系列の巡回シフトによる多重も一種の符号多重とみなせることから、以降では、直交符号および巡回シフトを併せて符号と記す場合がある。【０００７】
なお、ＬＴＥでは、ＰＵＣＣＨにおける他セルからの干渉を低減するために、セルＩＤに基づき使用するＺＡＣ系列が決定される。異なるＺＡＣ系列間では互いの相関が小さいため、異なるセル間で異なるＺＡＣ系列を用いることにより、干渉を小さくすることができる。また同様に、セルＩＤに基づく系列ホッピングおよび巡回シフトホッピング（Cyclic shift Hopping）も導入されている。これらのホッピングでは、セルＩＤに基づき定められる巡回シフトホッピングパターンを用いて、巡回シフト軸上および直交符号軸上で互いの相関関係を保ちつつ、ＳＣ−ＦＤＭＡシンボル単位で循環的にシフトさせる。これにより、セル内ではＡ／Ｎ信号が互いに直交関係を保ちながらも、他セルから強い干渉を受けるＡ／Ｎ信号の組合せをランダム化でき、一部の端末のみが他セルからの強い干渉を受け続けることがないようにすることができる。【０００８】
以下の説明では、１次拡散にＺＡＣ系列を用い、２次拡散にブロックワイズ拡散コード系列を用いる場合について説明する。しかし、１次拡散には、ＺＡＣ系列以外の、互いに異なる循環シフト量により互いに分離可能な系列を用いてもよい。例えば、ＧＣＬ（Generalized Chirp like）系列、ＣＡＺＡＣ（Constant Amplitude Zero Auto Correlation）系列、ＺＣ（Zadoff-Chu）系列、Ｍ系列や直交ゴールド符号系列等のＰＮ系列、または、コンピュータによってランダムに生成された自己相関特性が急峻な系列等を１次拡散に用いてもよい。また、２次拡散には、互いに直交する系列、または、互いにほぼ直交すると見なせる系列であればいかなる系列をブロックワイズ拡散コード系列として用いてもよい。例えば、ウォルシュ系列またはフーリエ系列等をブロックワイズ拡散コード系列として２次拡散に用いることができる。【０００９】
ところでＬＴＥでは、異なる端末に異なるＡ／Ｎリソースを割り当てる方法として、ＰＤＣＣＨの制御情報マッピング結果に基づく割り当てを採用している。すなわち、ＰＤＣＣＨの制御情報は複数の端末間で同一のリソースにマッピングされないことを利用し、ＰＤＣＣＨのリソースとＰＵＣＣＨ  ｆｏｒｍａｔｓ  １ａ／１ｂのＡ／Ｎリソース（以下、単にＡ／Ｎリソースと記載する）とを１対１に対応付けている。以下、このことについて詳述する。【００１０】
ＰＤＣＣＨは１つ又は複数のＬ１／Ｌ２ＣＣＨ（L1/L2 Control Channel）から構成される。各Ｌ１／Ｌ２ＣＣＨは、１つ又は複数ＣＣＥ（Control Channel Element：制御チャネル要素）から構成される。すなわちＣＣＥは、制御情報をＰＤＣＣＨにマッピングするときの基本単位である。また、１つのＬ１／Ｌ２ＣＣＨが複数（２、４、８個）のＣＣＥから構成される場合には、そのＬ１／Ｌ２ＣＣＨには偶数のインデックスを持つＣＣＥを起点とする連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースに制御情報をマッピングして送信する。またここで、各ＣＣＥはＡ／Ｎリソースと１対１に対応付けられている。従って、Ｌ１／Ｌ２ＣＣＨを受信した端末は、このＬ１／Ｌ２ＣＣＨを構成するＣＣＥに対応するＡ／Ｎリソースを特定し、このリソース（つまり符号および周波数）を用いてＡ／Ｎ信号を基地局へ送信する。ただし、Ｌ１／Ｌ２ＣＣＨが連続する複数のＣＣＥを占有する場合には、端末は、複数のＣＣＥにそれぞれ対応する複数のＰＵＣＣＨ構成リソースのうち一番インデックスが小さいＣＣＥに対応するＡ／Ｎリソース（すなわち、偶数番号のＣＣＥインデックスを持つＣＣＥに対応付けられたＡ／Ｎリソース）を利用して、Ａ／Ｎ信号を基地局へ送信する。具体的には、次式に基づきＡ／Ｎリソース番号ｎＰＵＣＣＨが定まる（非特許文献３）。【００１１】
【数１】
2013168405.tif 000003
【００１２】
ここで、上記Ａ／Ｎリソース番号ｎＰＵＣＣＨは、前述のＡ／Ｎリソース番号である。Ｎはセル内共通に与えられるＡ／Ｎリソースオフセット値、ｎＣＣＥはＰＤＣＣＨがマッピングされたＣＣＥの番号を表す。式（１）より、ｎＣＣＥの取り得る範囲に応じて、一定範囲のＡ／Ｎリソースが使用され得ることがわかる。以下、このようにＰＤＣＣＨの制御情報スケジューリングに依存してリソースが定まるＡ／Ｎを、Ｄ−Ａ／Ｎ（Ｄｙｎａｍｉｃ  Ａ／Ｎ：動的ＡＣＫ／ＮＡＣＫ）と記載する。【００１３】
前述のように、Ａ／Ｎリソースには符号リソースに加え周波数リソースが含まれている。上り回線ではＰＵＣＣＨ、ＰＵＳＣＨが同じ周波数帯域を共有しているから、Ｄ−Ａ／Ｎを含むＰＵＣＣＨの領域とＰＵＳＣＨの帯域幅はトレードオフとなる。
【先行技術文献】
【非特許文献】
【００１４】
【非特許文献１】3GPP TS 36.211 V10.4.0、 “Physical Channels and Modulation （Release 10）”、 Dec. 2011
【非特許文献２】3GPP TS 36.212 V10.4.0、 “Multiplexing and channel coding （Release 10）” 、Dec. 2011
【非特許文献３】3GPP TS 36.213 V10.4.0、“Physical layer procedures （Release 10）” 、Dec. 2011
【非特許文献４】3GPP RAN1#68bis、 R1-121352、 “PUCCH resource management for CoMP scenarios” 、Sharp、 March 2012.
【非特許文献５】3GPP RAN1#68bis、 R1-121158、 “PUCCH enhancement for UL CoMP”、Panasonic、 March 2012.
【発明の概要】
【発明が解決しようとする課題】
【００１５】
ＰＤＣＣＨは、制御情報の割り当て領域に限りがあるため、同時に割り当て可能な端末数および制御情報量に限界がある。また、ＰＤＣＣＨは、セル固有のパラメータに従って受信することが前提となっている。セル固有のパラメータに従うため、ＰＤＣＣＨは、複数のセル間で協調を行うＣｏＭＰ（Coordinated multipoint operation）、または、マクロ基地局のセル内にピコ基地局を配置して運用するＨｅｔＮｅｔ（Heterogenerous network）に適さないという課題がある。そこでＲｅｌ．１１では、ＰＤＣＣＨとは異なる新たな制御チャネルとしてＥ−ＰＤＣＣＨ（enhanced ＰＤＣＣＨ：拡張物理下り制御チャネル）の採用が検討されている。【００１６】
Ｅ−ＰＤＣＣＨの導入により、制御情報の領域を増加することができる。さらに、Ｅ−ＰＤＣＣＨには、セル単位の設定に制約されない柔軟な制御情報割り当てを行えるという利点がある。このため、Ｅ−ＰＤＣＣＨの導入により、特にセル間で協調を行うＣｏＭＰ、または、セル間の干渉制御が重要なＨｅｔＮｅｔに適した運用が可能になると期待されている。【００１７】
しかしながら、Ｅ−ＰＤＣＣＨを採用した場合、何ら工夫がないと、Ｅ−ＰＤＣＣＨの制御情報で制御される端末と、ＰＤＣＣＨの制御情報で制御される端末とで、上り回線のＡ／Ｎで衝突が生じることが考えられた。或いは、衝突が生じないようにＡ／Ｎリソースが無駄に確保されて、ＰＵＳＣＨの帯域が減少するという課題が生じると考えられた。【００１８】
本発明の目的は、Ｅ−ＰＤＣＣＨの制御情報が送信されるシステムにおいて、Ａ／Ｎの衝突を回避しつつ、Ａ／Ｎリソースの利用効率を高めてＰＵＳＣＨの帯域を無駄に減少させない無線通信端末、基地局装置およびリソース割当方法を提供することである。
【課題を解決するための手段】
【００１９】
本発明の一態様に係る無線通信端末は、ＡＣＫ／ＮＡＣＫ指標を含んだ制御信号を拡張物理下り制御チャネルを介して受信する受信部と、前記ＡＣＫ／ＮＡＣＫ指標に基づき、下りデータのＡＣＫ／ＮＡＣＫ信号を、動的に割り当てられる動的ＡＣＫ／ＮＡＣＫリソースを用いて送信するか、予め指定された指定リソースを用いて送信するかを決定する制御部と、決定された前記動的ＡＣＫ／ＮＡＣＫリソースまたは前記指定リソースを用いて前記ＡＣＫ／ＮＡＣＫ信号を送信する送信部と、を具備する構成を採る。【００２０】
本発明の一態様に係る無線通信端末は、ＡＣＫ／ＮＡＣＫ指標を含んだ制御信号を拡張物理下り制御チャネルを介して受信する受信部と、前記ＡＣＫ／ＮＡＣＫ指標に基づき、周波数領域で互いに分離された複数の動的ＡＣＫ／ＮＡＣＫ領域の中から何れかを選択し、選択された動的ＡＣＫ／ＮＡＣＫ領域に含まれる複数のリソースの中から、前記制御信号に応じて、下りデータのＡＣＫ／ＮＡＣＫ信号を送信する動的ＡＣＫ／ＮＡＣＫリソースを決定する制御部と、選択された前記動的ＡＣＫ／ＮＡＣＫリソースにおける決定された前記動的ＡＣＫ／ＮＡＣＫリソースを用いて前記ＡＣＫ／ＮＡＣＫ信号を送信する送信部と、を具備する構成を採る。【００２１】
本発明の一態様に係る基地局装置は、無線通信端末から下りデータのＡＣＫ／ＮＡＣＫ信号を送信させるリソースを、周波数領域で互いに分離された複数の動的ＡＣＫ／ＮＡＣＫ領域のうち何れの動的ＡＣＫ／ＮＡＣＫ領域に割り当てるか判別する制御部と、前記制御部の判別結果を表わすＡＣＫ／ＮＡＣＫ指標を含んだ制御信号を、拡張物理下り制御チャネルにおける前記ＡＣＫ／ＮＡＣＫ信号を送信させるリソースと関連付けられた制御チャネル要素で送信する送信部と、を具備する構成を採る。【００２２】
本発明の一態様に係る基地局装置は、無線通信端末から下りデータのＡＣＫ／ＮＡＣＫ信号を送信させるリソースを、周波数領域で互いに分離された複数の動的ＡＣＫ／ＮＡＣＫ領域のうち何れの動的ＡＣＫ／ＮＡＣＫ領域に割り当てるかを選択し、選択された動的ＡＣＫ／ＮＡＣＫ領域に含まれる複数の動的ＡＣＫ／ＮＡＣＫリソースの中から前記ＡＣＫ／ＮＡＣＫ信号を送信させるリソースを決定する制御部と、前記制御部の選択結果を表わすＡＣＫ／ＮＡＣＫ指標を含んだ制御信号を、拡張物理下り制御チャネルにおける前記決定されたリソースと関連付けられた制御チャネル要素で送信する送信部と、を具備する構成を採る。【００２３】
本発明の一態様に係るリソース割当方法は、ＡＣＫ／ＮＡＣＫ指標を含んだ制御信号を拡張物理下り制御チャネルを介して受信し、前記ＡＣＫ／ＮＡＣＫ指標に基づき、下りデータのＡＣＫ／ＮＡＣＫ信号を、動的に割り当てられる動的ＡＣＫ／ＮＡＣＫリソースを用いて送信するか、予め指定された指定リソースを用いて送信するかを決定する、方法を採る。【００２４】
本発明の一態様に係るリソース割当方法は、ＡＣＫ／ＮＡＣＫ指標を含んだ制御信号を拡張物理下り制御チャネルを介して受信し、前記ＡＣＫ／ＮＡＣＫ指標に基づき、周波数領域で互いに分離された複数の動的ＡＣＫ／ＮＡＣＫ領域の中から何れかを選択し、選択された動的ＡＣＫ／ＮＡＣＫ領域に含まれる複数のリソースの中から、前記制御信号に応じて、下りデータのＡＣＫ／ＮＡＣＫ信号を送信する動的ＡＣＫ／ＮＡＣＫリソースを決定する、方法を採る。
【発明の効果】
【００２５】
本発明によれば、拡張物理下り制御チャネルと物理下り制御チャネルとで制御情報が送信される場合に、下りデータに対するＡ／Ｎ信号の衝突を回避しつつ、Ａ／Ｎリソースの利用効率を高めてＰＵＳＣＨの帯域が無駄に減少することを回避できる。
【図面の簡単な説明】
【００２６】
【図１】下りリンクのサブフレーム構成を示す図
【図２】上りリンクのサブフレーム構成を示す図
【図３】ＰＵＣＣＨ  ｆｏｒｍａｔｓ  １ａ／１ｂのＡ／Ｎ信号の拡散方法を説明する図
【図４】Ｅ−ＰＤＣＣＨが送信される時の下りリンクのサブフレーム構成の一例を示す図
【図５】Ｅ−ＰＤＣＣＨが採用された場合のシステム構成を示す図
【図６】ＰＤＣＣＨ端末用のＤ−Ａ／Ｎ領域とＥ−ＰＤＣＣＨ端末用のＤ−Ａ／Ｎ領域とを設定した例を示す図
【図７】４つのＥ−ＰＤＣＣＨ端末に対してそれぞれ異なるＡ／Ｎリソースを割り当てた例を示す図
【図８】実施の形態１の基地局の要部を示すブロック図
【図９】実施の形態１の基地局の詳細を示すブロック図
【図１０】実施の形態１の端末の要部を示すブロック図
【図１１】実施の形態１の端末の詳細を示すブロック図
【図１２】実施の形態１におけるＥ−ＰＤＣＣＨのスケジューリングの一例を示す図
【図１３】ＡＩに基づき切り替えられるＥ−ＰＤＣＣＨ端末のＡ／Ｎリソースを説明する図
【図１４】ＣｏＭＰシナリオ４に対応した通信システムの構成例を示す図
【図１５】ＣｏＭＰシナリオ４に対応した通信システムにおいてＡ／Ｎ信号が干渉する様子を示す図
【図１６】ＰＤＣＣＨ端末用に２つのＤ−Ａ／Ｎ領域を設定した例の説明図
【図１７】ＣｏＭＰシナリオ４に対応したＥ−ＰＤＣＣＨの運用例を示した説明図
【図１８】実施の形態２におけるＰＤＣＣＨの制御情報のマッピング例を示す図
【図１９】実施の形態２におけるＰＤＣＣＨ端末へのＡ／Ｎリソースの割当て例を示す図
【図２０】実施の形態２におけるＥ−ＰＤＣＣＨ端末およびＰＤＣＣＨ端末へのＡ／Ｎリソースの割当て例を示す図
【発明を実施するための形態】
【００２７】
以下、本発明の各実施の形態について図面を参照して詳細に説明する。
【００２８】
（実施の形態１）
＜本発明に係る一形態を得るに至った経緯＞
先ず、実施の形態１の具体的な構成および動作を説明する前に、Ｅ−ＰＤＣＣＨが採用された場合のＡ／Ｎリソースの割当方法として、本発明者らが着目した一つの方法について説明する。
【００２９】
図４は、Ｅ−ＰＤＣＣＨが送信される時の下り回線サブフレームの例を示す。図５は、Ｅ−ＰＤＣＣＨが採用された場合のシステム構成を示す。
【００３０】
図５に示すように、Ｅ−ＰＤＣＣＨを採用した通信システムでは、１つのセル内にＰＤＣＣＨ端末とＥ−ＰＤＣＣＨ端末とが混在することが想定される（図５中、Ｅ−ＰＤＣＣＨ端末を黒色で示している）。ここで、ＰＤＣＣＨ端末とは、ＰＤＣＣＨの制御情報を受信して通信の制御が行われる端末、Ｅ−ＰＤＣＣＨ端末とは、Ｅ−ＰＤＣＣＨの制御情報を受信して通信の制御が行われる端末を示す。
【００３１】
Ｅ−ＰＤＣＣＨは次のような特徴を有する。
（１）全端末共通のリソースを用いて送信されるＰＤＣＣＨとは異なり、端末ごとに割り当てられた周波数リソースブロックにて送信される。
（２）セル内全端末共通の参照信号を用いて復調されるＰＤＣＣＨとは異なり、端末ごとに与えられた端末固有の参照信号にて復調される。
（３）セル内全端末共通のスクランブル符号を用いてスクランブルされるＰＤＣＣＨとは異なり、端末ごとに与えられるスクランブル符号を用いてスクランブルされる。
（４）Ｅ−ＰＤＣＣＨを送信するか否かは、設定により変えることができる。
【００３２】
したがって、Ｅ−ＰＤＣＣＨの導入により、制御情報の領域が増加されることに加え、セル単位の設定に制約されない柔軟な制御情報割り当てが可能となる。セル単位の設定に制約されないことから、Ｅ−ＰＤＣＣＨの導入は、特にセル間で協調を行うＣｏＭＰ、ならびに、セル間の干渉制御が重要なＨｅｔＮｅｔに適した運用が可能になると期待されている。
【００３３】
一方、Ｅ−ＰＤＣＣＨを制御情報として割り当てられたＰＤＳＣＨに対するＡ／Ｎのフィードバックについては、次のような課題が生じる。すなわち、Ｅ−ＰＤＣＣＨ端末の端末に割り当てられるＤ−Ａ／Ｎリソースは、ＰＤＣＣＨ端末が用いるＤ−Ａ／Ｎリソースと衝突することなく、なおかつ無駄に上り回線のリソースを消費しないよう定める必要がある。
【００３４】
もっとも簡単な方法は、Ｅ−ＰＤＣＣＨもＰＤＣＣＨと同様に１つ又は複数のｅＣＣＥ（enhanced Control Channel Element：拡張制御チャネル要素）から構成されることを利用し、例えば次式のようにＡ／Ｎリソース番号を定めることである。
【００３５】
【数２】
2013168405.tif 000004
【００３６】
ここで、ｎＰＵＣＣＨＥ-ＰＯＣＣＨは、当該Ｅ−ＰＤＣＣＨ端末がＡ／Ｎを送信するリソース番号である。ＮｅはＡ／Ｎリソースオフセット値、ＮｅＣＣＥはＥ−ＰＤＣＣＨがマッピングされたｅＣＣＥの番号である。また、ＮｅはＤ−Ａ／Ｎリソースオフセットパラメータであり、セル固有の値でも、端末ごとに独立に与えられる値でも良い。関数ｆ（ａ、ｂ）は、例えばｆ（ａ、ｂ）＝ａ＋ｂである。
【００３７】
この方法であれば、Ａ／Ｎリソースを端末ごとに通知する必要が無く、なおかつＥ−ＰＤＣＣＨ端末間でＡ／Ｎが衝突する可能性がないという利点がある。その一方で、式（１）で与えられるＰＤＣＣＨ端末のＤ−Ａ／Ｎと式（２）で与えられるＥ−ＰＤＣＣＨ端末のＤ−Ａ／Ｎで、同じリソースを共有するのが困難であるという欠点がある。図６にその様子を示す。
【００３８】
図６Ａおよび図６Ｂは、ＰＤＣＣＨ端末用のＤ−Ａ／Ｎ領域とＥ−ＰＤＣＣＨ端末用のＤ−Ａ／Ｎ領域とを設定した例を示している。図６Ａは、両方のＤ−Ａ／Ｎ領域を重複させた例、図６Ｂは、両方のＤ−Ａ／Ｎ領域を重複させない例である。
【００３９】
ＰＵＳＣＨのリソースを広く確保するためには、図６Ａのように両Ｄ−Ａ／Ｎ領域の重複部分を広く取り、合計のＰＵＣＣＨのリソース領域を減らす必要がある。しかし、このような設定では、ＰＤＣＣＨ端末とＥ−ＰＤＣＣＨ端末のＡ／Ｎ信号が衝突する危険がある。一方、図６Ｂのように共有リソースが重複しないように設定すれば、Ａ／Ｎ信号の衝突可能性はゼロになる。しかしこの場合、ＰＵＳＣＨに割り当て可能なリソースが大きく減少してしまい、上り回線のスループットが劣化するという問題が発生する。
【００４０】
もう１つの方法は、ＲＲＣ（Radio resource control）制御情報などにより、事前に端末ごとにＡ／Ｎリソースを割り当てておく方法である。
【００４１】
図７Ａおよび図７Ｂは、４つのＥ−ＰＤＣＣＨ端末に対してそれぞれ異なるＡ／Ｎリソースを割り当てておく例を示している。図７Ａは、Ｄ−Ａ／Ｎ領域上にＲＲＣ通知Ａ／Ｎリソースを重複させた例、図７Ｂは、Ｄ−Ａ／Ｎ領域上にＲＲＣ通知Ａ／Ｎリソースを重複させない例である。
【００４２】
この場合でもＤ−Ａ／Ｎを用いる場合と同じく、図７Ａの例では、ＰＤＣＣＨ端末とＥ−ＰＤＣＣＨ端末のＡ／Ｎ信号が衝突する危険がある。Ａ／Ｎ衝突の可能性をゼロとするためには、図７Ｂに示すように、ＰＤＣＣＨ端末のＤ−Ａ／Ｎ領域の外側にＥ−ＰＤＣＣＨ端末のＡ／Ｎリソースを設定する必要がある。しかしこのようにしてしまうと、ＰＵＳＣＨの送信帯域が減少することになり、上り回線のスループットが劣化する。
【００４３】
そこで、本実施の形態１の通信システムは、（１）ＰＤＣＣＨ端末とＥ−ＰＤＣＣＨ端末のＡ／Ｎ信号が衝突する確率をゼロに保ちつつ、（２）ＰＤＣＣＨ端末とＥ−ＰＤＣＣＨ端末のＡ／Ｎリソース利用効率を高める、という２点を同時に実現することを目的としている。
【００４４】
［通信システムの概要］
本実施の形態１の通信システムは、図５の例のように、セル内の１つの基地局１００、および、複数の端末２００等から構成される。
【００４５】
［基地局１００構成］
図８は、基地局の要部を示すブロック図である。
【００４６】
基地局１００は、図８に示すように、複数の端末２００へそれぞれ送信する複数の制御情報を生成する制御部１１０と、制御情報および送信データを無線送信用の信号に変換しアンテナ１１を介して信号を無線送信する送信部１２０と、を備えている。
【００４７】
制御部１１０は、下り回線のリソース割当情報等から各端末２００の制御情報を生成する。また、制御部１１０は、リソース割当情報等に基づいて、Ｅ−ＰＤＣＣＨ端末に割り当てるＡ／Ｎリソースを、Ｄ−Ａ／Ｎ領域のリソース（Ｄ−Ａ／Ｎリソースと呼ぶ）とするか、ＲＲＣの通知により予め指定された通知Ａ／Ｎリソース（指定リソースに相当）とするかを判別する。
【００４８】
具体的には、制御部１１０は、複数のＰＤＣＣＨ端末とＥ−ＰＤＣＣＨ端末とでＡ／Ｎリソースが衝突しない範囲で、各Ｅ−ＰＤＣＣＨ端末に優先的にＤ−Ａ／Ｎリソースを割り当てていく。すなわち、このＤ−Ａ／Ｎリソースに１対１で関連付けられるｅＣＣＥをＥ−ＰＤＣＣＨ端末の制御情報の送信用に確保していく。そして、この条件で割り当てが困難になったら、制御部１１０は、残りのＥ−ＰＤＣＣＨ端末に対して割当てられるＡ／ＮリソースをＲＲＣ通知Ａ／Ｎリソースとする。なお、これらＡ／Ｎリソースの割り当ては、ネットワークの上位ノードが行って、制御部１１０は、その割当結果を受けて、何れのＡ／Ｎリソースが割り当てられたのかを判別してもよい。
【００４９】
制御部１１０は、この判別結果を示すＡ／Ｎ指標（以下、「ＡＩ（ACK/NACK Indicator）」と呼ぶ）を含んだＥ−ＰＤＣＣＨ端末の制御情報を生成して、送信部１２０へ送る。
【００５０】
送信部１２０は、送信データおよび制御情報が含まれる各チャネルの信号を無線送信する。すなわち、送信部１２０は、送信データをＰＤＳＣＨで、ＰＤＣＣＨ端末の制御情報をＰＤＣＣＨで、Ｅ−ＰＤＣＣＨ端末の制御情報をＥ−ＰＤＣＣＨで、それぞれ送信する。
【００５１】
図９は、基地局の詳細を示すブロック図である。
【００５２】
詳細には、基地局１００は、図９に示すように、アンテナ１１、制御情報生成部１２、制御情報符号化部１３、変調部１４、１７、データ符号化部１５、再送制御部１６、サブフレーム構成部１８、ＩＦＦＴ部１９、ＣＰ付加部２０、および、無線送信部２１等を備えている。また、基地局１００は、無線受信部２２、ＣＰ除去部２３、逆拡散部２４、相関処理部２５、および、判定部２６等を備えている。
【００５３】
これらのうち、制御情報生成部１２が主に制御部１１０として機能し、制御情報符号化部１３から無線送信部２１ならびにデータ符号化部１５から無線送信部２１にかけた構成が主に送信部１２０として機能する。
【００５４】
基地局１００は、下り回線にてＰＤＣＣＨ、Ｅ−ＰＤＣＣＨ、ＰＤＳＣＨを送信する。また、上り回線にてＡ／Ｎ信号を運ぶＰＵＣＣＨを受信する。なお、ここでは、説明が煩雑になることを避けるために、本実施の形態の特徴と密接に関連する下り回線のＰＤＣＣＨ、Ｅ−ＰＤＣＣＨ、ＰＤＳＣＨの送信、および、その下り回線データに対するＰＵＣＣＨの上り回線での受信に係わる構成部を主に示している。そして、上り回線データの受信に係わる構成部の図示および説明を省略する。
【００５５】
基地局１００が生成する下り回線の制御信号とデータ信号は、それぞれ別個に符号化および変調され、サブフレーム構成部１８へと入力される。
【００５６】
まず、制御信号の生成について述べる。制御情報生成部１２は、下り回線の割り当てを行う各端末２００のリソース割り当て結果（リソース割当情報）と符号化率情報とから、各端末２００への制御情報を生成する。端末２００毎の制御情報には、どの端末２００に宛てた制御情報であるかを示す端末ＩＤ情報が含まれる。例えば、制御情報の通知先の端末２００のＩＤ番号でマスキングされたＣＲＣビットが端末ＩＤ情報として制御情報に含まれる。ここで、ＰＤＣＣＨにマッピングされる制御情報とＥ−ＰＤＣＣＨにマッピングされる制御情報とで、異なる情報が含まれる。特にＥ−ＰＤＣＣＨにマッピングされる制御情報には、ＰＤＳＣＨに対するＡ／Ｎ信号の送信をｅＣＣＥ番号紐付けのＡ／Ｎリソースで行うか、ＲＲＣで予め通知したＡ／Ｎリソースで行うかを指示するＡＩが含まれる。生成した各端末２００への制御情報は制御情報符号化部１３へと入力される。
【００５７】
制御情報符号化部１３は、端末２００ごとの制御情報をそれぞれ独立に符号化する。符号化は、ＰＤＣＣＨにマッピングされる制御情報とＥ−ＰＤＣＣＨにマッピングされる制御情報とで同じでも良いし異なっても良い。制御情報符号化部１３の出力は、変調部１４へと入力される。
【００５８】
変調部１４は、端末２００ごとの制御情報をそれぞれ独立に変調する。変調は、ＰＤＣＣＨにマッピングされる制御情報とＥ−ＰＤＣＣＨにマッピングされる制御情報とで同じでも良いし異なっても良い。変調部１４の出力は、サブフレーム構成部１８へと入力される。
【００５９】
次に、データ信号の生成について述べる。データ符号化部１５では、各端末２００に送信するデータビット系列に対して各端末２００のＩＤに基づきマスキングされたＣＲＣビットを付加し、それぞれ誤り訂正符号化する。データ符号化部１５の出力は、再送制御部１６へと入力される。
【００６０】
再送制御部１６では、端末２００ごとの符号化送信データを保持しておき、初回送信時には送信データを変調部１７へと出力する。一方、判定部２６からＮＡＣＫ信号が入力された端末２００、すなわち再送を行う端末２００に対しては、その再送に対応する送信データを変調部１７に出力する。
【００６１】
変調部１７では、入力された各端末２００へのデータ符号化系列をそれぞれデータ変調する。変調系列は、サブフレーム構成部１８へと入力される。
【００６２】
サブフレーム構成部１８では、入力された制御情報系列とデータ系列をサブフレームの時間および周波数で分割されたリソースへとマッピングする。これにより、サブフレーム構成部１８は、サブフレームを構成し、ＩＦＦＴ部１９へと出力する。
【００６３】
ＩＦＦＴ部１９では、入力された送信サブフレームに対してＩＦＦＴ（Inverse fast Fourier transform）を行い、時間波形を得る。得られた時間波形はＣＰ付加部２０へ入力される。
【００６４】
ＣＰ付加部２０では、サブフレーム内の各ＯＦＤＭシンボルにＣＰを付加して無線送信部２１へ出力する。
【００６５】
無線送信部２１では、入力したシンボルに対して搬送波周波数帯へ無線変調が行われ、アンテナ１１を介して変調された下り回線信号を送信する。
【００６６】
無線受信部２２では、端末２００のＡ／Ｎ信号を受信したアンテナ１１からの入力を受け、無線復調が行われる。復調された下り回線信号はＣＰ除去部２３へと入力される。
【００６７】
ＣＰ除去部２３では、下り回線信号内の各ＳＣ−ＦＤＭＡ（Single Carrier-Frequency-Division Multiple Access）シンボルからＣＰが除去される。ＣＰ除去後のシンボルは逆拡散部２４へ入力される。
【００６８】
逆拡散部２４では、符号多重された複数端末２００のＡ／Ｎ信号から対象となる端末２００のＡ／Ｎを取りだすため、対応する直交符号による逆拡散が行われる。逆拡散後された信号は相関処理部２５へと出力される。
【００６９】
相関処理部２５では、Ａ／Ｎを取りだすためＺＡＣ系列による相関処理が行われる。相関処理後の信号は、判定部２６へと入力される。
【００７０】
判定部２６は、当該端末２００のＡ／ＮがＡＣＫ、ＮＡＣＫいずれであったか判定する。判定結果がＡＣＫであった場合、判定部２６は再送制御部１６に次のデータの送信を促す。一方、判定結果がＮＡＣＫであった場合、判定部２６は再送制御部１６に再送を促す。
【００７１】
［端末２００の構成］
図１０は、端末の要部を示すブロック図である。
【００７２】
端末２００は、アンテナ４１を介して制御情報および下りデータを受信する受信部２３０と、制御情報に基づいてＡ／Ｎ信号を送信するリソースを決定する制御部２２０と、決定したリソースでＡ／Ｎ信号を送信する送信部２１０とを備えている。
【００７３】
端末２００は、Ｅ−ＰＤＣＣＨの制御情報を受信するよう指定されている場合に、Ｅ−ＰＤＣＣＨ端末となり、ＰＤＣＣＨの制御情報を受信するよう指定されている場合に、ＰＤＣＣＨ端末となる。
【００７４】
受信部２３０は、ＰＤＳＣＨを介して受信データを、Ｅ−ＰＤＣＣＨまたはＰＤＣＣＨを介して制御情報を受信する。すなわち、受信部２３０は、Ｅ−ＰＤＣＣＨ端末２００の場合には、Ｅ−ＰＤＣＣＨを介してＡＩを含んだ制御情報を受信し、ＰＤＣＣＨ端末２００の場合には、ＰＤＣＣＨを介して制御情報を受信する。受信部２３０は、受信した制御情報を制御部２２０へ出力する。
【００７５】
制御部２２０は、Ｅ−ＰＤＣＣＨ端末２００である場合、受信データのＡ／Ｎ信号の送信リソースを、ＡＩの値に基づいて、Ｄ−Ａ／ＮリソースまたはＲＣＣ通知Ａ／Ｎリソースの何れかに決定する。また、制御部２２０は、ＰＤＣＣＨ端末２００である場合、従前のＰＤＣＣＨ端末と同様に、Ａ／Ｎ信号の送信リソースを決定する。制御部２２０は、決定内容を送信部２１０へ出力する。
【００７６】
送信部２１０は、決定されたリソースを使用して、受信データのＡ／Ｎ信号を無線送信する。
【００７７】
図１１は、端末の詳細を示すブロック図である。
【００７８】
端末２００は、詳細には、図１１に示すように、アンテナ４１、無線受信部４２、ＣＰ除去部４３、ＦＦＴ部４４、抽出部４５、データ復調部４６、データ復号部４７、判定部４８、制御情報復調部４９、制御情報復号部５０、制御情報判定部５１、制御処理部５２、Ａ／Ｎ信号変調部５３、１次拡散部５４、ＩＦＦＴ部５５、ＣＰ付加部５６、２次拡散部５７、多重部５８、および、無線送信部５９を備えている。また、端末２００は、参照信号用のＩＦＦＴ部６０、ＣＰ付加部６１および拡散部６２を備えている。
【００７９】
これらのうち、制御処理部５２が主に制御部２２０として機能する。また、Ａ／Ｎ信号変調部５３から無線送信部５９にかけた構成が主に送信部２１０として機能し、無線受信部４２から判定部４８および無線受信部４２から制御情報判定部５１にかけた構成が主に受信部２３０として機能する。
【００８０】
端末２００は、下り回線でＰＤＣＣＨまたはＥ−ＰＤＣＣＨにマッピングされた制御情報、および、ＰＤＳＣＨにマッピングされた下り回線データを受信する。また、端末２００は、上り回線でＰＵＣＣＨを送信する。ここでは、説明が煩雑になることを避けるために、本実施の形態の特徴と密接に関連する下り回線（具体的には、ＰＤＣＣＨ、Ｅ−ＰＤＣＣＨ、ＰＤＳＣＨ）の受信、および、下り回線の受信データに対する上り回線（具体的には、ＰＵＣＣＨ）での送信に係わる構成部のみを示す。
【００８１】
無線受信部４２では、基地局から送信された下り回線信号を受信したアンテナ４１からの入力を受け、無線復調を行い、ＣＰ除去部４３へと出力する。
【００８２】
ＣＰ除去部４３ではサブフレーム内の各ＯＦＤＭシンボル時間波形からＣＰを除去し、ＦＦＴ部４４へと出力する。
【００８３】
ＦＦＴ部４４では、入力された時間波形に対し、ＯＦＤＭ（Orthogonal frequency division multiplexing）復調を行うためにＦＦＴ（fast Fourier transform）を行い、周波数領域におけるサブフレームを得る。得られた受信サブフレームは抽出部４５へ入力される。
【００８４】
抽出部４５では、ＰＤＣＣＨ領域またはＥ−ＰＤＣＣＨ領域から自端末向けの制御情報を抽出する。ＰＤＣＣＨ、Ｅ−ＰＤＣＣＨのいずれに制御情報が含まれているかという情報は、基地局から予め指示されているものとする（図示せず）。抽出部４５は、自身の制御情報がマッピングされている可能性のある制御情報領域から１つまたは複数の制御情報候補を抽出し、制御情報復調部４９へと出力する。また、抽出部４５は、制御情報判定部５１から結果が得られたら、自端末宛の制御情報に含まれるリソース割り当て結果に基づき、受信サブフレームから自端末向けのデータ信号を抽出する。得られたデータ信号はデータ復調部４６へと入力される。
【００８５】
制御情報復調部４９では、入力された１つまたは複数の制御情報に対して復調を行い、制御情報復号部５０へと出力する。
【００８６】
制御情報復号部５０では、入力された１つまたは複数の復調系列に対してそれぞれ復号を行う。復号結果は制御情報判定部５１へと入力される。
【００８７】
制御情報判定部５１では、１つまたは複数の復号結果から、端末ＩＤ情報を用いて自端末宛の制御情報を判定する。判定には、制御情報に含まれる自端末ＩＤ情報でマスキングされたＣＲＣビットなどが用いられる。制御情報判定部５１は、自端末宛の制御情報があった場合、その制御情報を抽出部４５へと出力する。また、制御情報判定部５１は、その制御情報を制御処理部５２へと出力する。
【００８８】
制御処理部５２は、ＰＤＣＣＨ端末２００の場合とＥ−ＰＤＣＣＨ端末２００の場合とで、異なる動作を行う。
【００８９】
ＰＤＣＣＨ端末２００の場合、制御処理部５２は、制御情報がマッピングされたリソース（ＣＣＥ）番号から、式（１）に基づきＡ／Ｎ信号のリソース番号を求める。求めたＡ／Ｎ信号リソース番号から、制御処理部５２は、１次拡散、２次拡散および参照信号に用いる各拡散符号と、ＰＵＣＣＨを送信する周波数リソースブロック（ＲＢ）とを決定する。これらの情報は、１次拡散部５４、２次拡散部５７、そして参照信号の拡散部６２へと入力される。
【００９０】
一方、Ｅ−ＰＤＣＣＨ端末２００の場合、制御処理部５２は、制御情報に含まれるＡＩが指示する値に基づき、式（２）によりＡ／Ｎ信号のリソース番号を求めるか、ＲＲＣ制御情報として通知されたＡ／Ｎリソースを用いるかを決定する。なお、ここでのＲＲＣ通知Ａ／Ｎリソースは、予め基地局１００から端末２００に対して指示されているものとする（図示せず）。式（２）に基づき、Ａ／Ｎ信号のリソース番号を求めるよう指示された場合、制御処理部５２は、求めたＡ／Ｎ信号リソース番号から、１次拡散、２次拡散および参照信号に用いる各拡散符号と、Ａ／Ｎ信号を送信する周波数リソースブロック（ＲＢ）とを決定する。そして、制御処理部５２は、各拡散符号を１次拡散部５４、２次拡散部５７、そして参照信号の拡散部６２へと通知する。一方ＲＲＣ通知リソースを用いるよう指示された場合、制御処理部５２は、そのＡ／Ｎリソース番号に対応する１次拡散、２次拡散および参照信号に用いる各拡散符号と、ＰＵＣＣＨを送信する周波数リソースブロック（ＲＢ）とを決定する。そして、制御処理部５２は、各拡散符号をそれぞれ１次拡散部５４、２次拡散部５７、そして参照信号の拡散部６２へと通知する。
【００９１】
データ復調部４６は、入力された自端末向けのデータ信号を復調する。復調結果はデータ復号部４７へと入力される。
【００９２】
データ復号部４７は、入力された復調データに対して復号を行う。復号結果は判定部４８へと入力される。
【００９３】
判定部４８は、端末２００のＩＤでマスキングされたＣＲＣを用いて、復号結果が正しいか否かを判定する。正しい場合には、判定部４８は、ＡＣＫ信号をＡ／Ｎ信号変調部５３へ出力し、また、受信データを取りだす。正しくない場合には、判定部４８は、ＮＡＣＫ信号をＡ／Ｎ信号変調部５３へ出力する。
【００９４】
Ａ／Ｎ信号変調部５３では、入力信号がＡＣＫであるかＮＡＣＫであるかによって値の異なる変調シンボルを生成する。生成された変調シンボルは、１次拡散部５４へと入力される。
【００９５】
１次拡散部５４は、制御処理部５２より入力されたＺＡＣ系列を用いてＡ／Ｎ信号を１次拡散し、１次拡散後のＡ／Ｎ信号をＩＦＦＴ部５５に出力する。ここで、循環シフトホッピングに用いる循環シフト量はＳＣ−ＦＤＭＡ単位で異なるため、１次拡散部５４は、ＳＣ−ＦＤＭＡシンボル毎に異なる循環シフト量を用いてＡ／Ｎ信号を１次拡散する。
【００９６】
ＩＦＦＴ部５５は、１次拡散部５４から入力されたＳＣ−ＦＤＭＡシンボルごとにＩＦＦＴを行い、得られる時間波形をＣＰ付加部５６へと出力する。
【００９７】
ＣＰ付加部５６は、入力されたＳＣ−ＦＤＭＡ時間波形ごとにＣＰを付加し、この信号を２次拡散部５７へと出力する。
【００９８】
２次拡散部５７では、ＣＰ付加後のＳＣ−ＦＤＭＡ時間波形に対し、ブロックワイズ拡散コード系列を用いて２次拡散を行う。拡散符号は、制御処理部５２によって指示された符号を用いる。２次拡散された系列は多重部５８へと入力される。
【００９９】
多重部５８は、参照信号の拡散部６２と２次拡散部５７とからそれぞれ入力された２つの系列を時間多重し、ＰＵＣＣＨサブフレームを構成する。時間多重された信号は無線送信部５９へと入力される。
【０１００】
無線送信部５９は、入力された信号に対して搬送波周波数帯へ無線変調を行い、アンテナ４１から上り回線信号を無線送信する。
【０１０１】
［動作］
本実施の形態１の基地局１００及び端末２００の処理フローをステップ（１）〜（６）で説明する。
【０１０２】
図１２は、実施の形態１におけるＥ−ＰＤＣＣＨのスケジューリングの一例を示す図、図１３は、ＡＩに基づき切り替えられるＥ−ＰＤＣＣＨ端末のＡ／Ｎリソースを説明する図である。
【０１０３】
ステップ（１）：基地局１００は、ＰＤＳＣＨの送受信よりも前に、各端末２００に対し制御情報をＰＤＣＣＨで送信するかＥ−ＰＤＣＣＨで送信するかを通知しておく。なお、Ｅ−ＰＤＣＣＨで送信しない端末２００には、特に通知を行わなくても良い。端末２００も、特に通知が無い、または認識できない場合には、ＰＤＣＣＨで制御情報が送信されるものとして制御情報を受信する。また、Ｅ−ＰＤＣＣＨで制御情報が送信される端末２００には、ＡＩにより予め指定されたＡ／Ｎリソースを使用する指示があった場合に用いるＡ／Ｎリソースを予め通知しておく。これらの通知には、ＲＲＣ制御信号などを用いる。なお、このＡ／Ｎリソース指示が無い、または認識できない場合には、端末は式（２）に基づきＡ／Ｎリソースを決定する。
【０１０４】
ステップ（２）：基地局１００は、各サブフレームにおいてデータを割り当てる端末２００を決定し、ＰＤＳＣＨ内にスケジューリングする。スケジューリングには、各端末２００へのトラフィック量に加え、端末２００が送信するＣＳＩフィードバックやサウンディング参照信号（ＳＲＳ）なども利用される。
【０１０５】
ステップ（３）：基地局１００は、スケジューリング結果を含む制御情報を各端末２００宛に生成し、ＰＤＣＣＨおよびＥ−ＰＤＣＣＨにマッピングする。はじめに、基地局１００は、ＰＤＣＣＨへのマッピングを行う。ブラインド復号を行うＣＣＥ領域は端末２００ごとに異なるため、基地局１００は、端末２００ごとに復号可能な領域にそれぞれの制御情報をマッピングする。このとき、ＰＤＣＣＨ端末２００の間で同一のＣＣＥに制御情報がマッピングされることは無いため、式（１）に基づくＡ／Ｎリソースを用いている限り、ＰＤＣＣＨ端末２００の間でＡ／Ｎリソースが衝突することは無い。
【０１０６】
次に、基地局１００は、図１２に示すように、Ｅ−ＰＤＣＣＨへ制御情報のマッピングを行う。Ｅ−ＰＤＣＣＨにおいても、ブラインド復号を行うｅＣＣＥ領域は端末２００ごとに異なるため、基地局１００は、端末２００ごとに復号可能な領域にそれぞれの制御情報のマッピングを試みる。図１３に示すように、Ｅ−ＰＤＣＣＨ端末２００へのマッピングに際しては、基地局１００は、式（２）に基づくＡ／Ｎリソースを使用した場合に、ＰＤＣＣＨ端末２００のＡ／Ｎリソースと衝突が生じないかどうか確認する。
【０１０７】
ここで、式（２）に基づくＡ／Ｎリソースとは、図１３の「Ｅ−ＰＤＣＣＨ端末のＤ−Ａ／Ｎ領域」に含まれる複数のＡ／Ｎリソースの何れかであり、制御情報がマッピングされるｃＣＣＥの番号に１対１で関連づけられたＡ／Ｎリソースである。Ｅ−ＰＤＣＣＨ端末のＤ−Ａ／Ｎ領域と、ＰＤＣＣＨ端末のＤ−Ａ／Ｎ領域とは、大半（全部でもよい）が重複するように設定されている。
【０１０８】
確認の結果、衝突が起こらないと確認されれば、基地局１００は、そのマッピングを採用し、端末２００に対しＡＩにより式（２）に基づくＡ／Ｎリソースを使用するよう指示する。一方、式（２）に基づく割り当てでは衝突すると判明したら、基地局１００は、その制御情報を異なるｅＣＣＥにマッピングできるかどうか試みる。異なるｅＣＣＥへのマッピングにより衝突を回避できるようならば、基地局１００は、マッピング位置を変更してＡＩにより式（２）に基づくＡ／Ｎリソースを使用するよう指示する。
【０１０９】
一方、マッピングの変更ではＡ／Ｎの衝突が回避できないようならば、基地局１００は、ＡＩによりＲＲＣで事前に通知されたＡ／Ｎリソース（図１３の「ＲＲＣ通知Ａ／Ｎリソース」）を使用するよう指示する。すなわち、制御情報に含めるＡＩの値を、ＲＲＣ通知Ａ／Ｎリソースの指示を表わす値に決定する。ＲＲＣ通知Ａ／Ｎリソースは、ＰＤＣＣＨ端末のＤ−Ａ／Ｎ領域にも、Ｅ−ＰＤＣＣＨ端末のＤ−Ａ／Ｎ領域にも、重複しないリソース領域に設定されている。
【０１１０】
ステップ（４）：基地局１００は、全端末２００の制御情報マッピングが終了したら、ＰＤＣＣＨおよびＥ−ＰＤＣＣＨの制御情報とＰＤＳＣＨの下りデータとを下り回線で無線送信する。
【０１１１】
ステップ（５）：端末２００は、受信信号から自端末宛の制御情報を得て、データ信号の抽出および復号を行う。同時に、制御情報をもとに受信データ信号に対応するＡ／Ｎ信号を送信する符号および周波数のリソースを特定する。特にＥ−ＰＤＣＣＨ端末２００は、制御情報に含まれるＡＩから、式（２）に基づくＡ／Ｎリソースを用いるか、ＲＲＣで事前に通知されたＡ／Ｎリソースを用いるかを決定する。Ｄ−Ａ／Ｎリソースを用いる場合には、自端末宛の制御情報がマッピングされていたｅＣＣＥの番号に基づいて、式（２）に基づくＤ−Ａ／Ｎリソースを算出する。
【０１１２】
ステップ（６）：端末２００は、データ信号の判定結果に応じてＡＣＫまたはＮＡＣＫを特定し、上記のように特定したＡ／Ｎリソース（符号および周波数のリソース）を用いてＡ／Ｎ信号を送信する。
【０１１３】
［効果］
以上のように、実施の形態１の基地局１００および端末２００によれば、Ｅ−ＰＤＣＣＨのスケジューリング自由度とＡＩの動的選択とによって、空いているＰＤＣＣＨ端末用のＤ−Ａ／Ｎリソースに、Ｅ−ＰＤＣＣＨ端末２００のＡ／Ｎを収容することができる。従って、Ａ／Ｎ衝突確率ゼロを確保しつつ、Ａ／Ｎリソースの利用効率を高めてＰＵＳＣＨの帯域が無駄に減少することを回避できる。
【０１１４】
また、実施の形態１によれば、ＡＩの動的選択によって、Ｄ−Ａ／Ｎリソースを割り当てると衝突が生じる場合に、ＲＣＣ通知Ａ／Ｎリソースを割り当てることができる。よって、ＰＤＣＣＨ端末２００およびＥ−ＰＤＣＣＨ端末２００のＡ／Ｎ数増減に影響されずに、Ａ／Ｎ衝突確率ゼロを確保できる。
【０１１５】
また、ＡＩによる動的選択は、Ｒｅｌ．１０におけるＰＵＣＣＨ  ｆｏｒｍａｔ  ３のＡＲＩ（ACK/NACK resource indicator）と同様のしくみ（すなわち、ビットの追加）によって容易に実現できる。
【０１１６】
ＡＲＩとは、ＰＵＣＣＨの制御情報に含まれるビットで、予めＲＣＣから通知されていた複数のＡ／Ｎリソースの中から何れを使用するかを指示する情報である。ＰＵＣＣＨ  ｆｏｒｍａｔ  ３では、予めＲＲＣから通知されたＡ／ＮリソースをＡＲＩの指示に基づき選択する。そのため、ＡＲＩのみでは、本実施の形態１のように、Ｅ−ＰＤＣＣＨのスケジューリング自由度を活用してＰＤＣＣＨ端末２００とＥ−ＰＤＣＣＨ端末２００とのＡ／Ｎ衝突回避を図ることはできない。
【０１１７】
また、実施の形態１によれば、Ｄ−Ａ／Ｎ領域の利用効率を向上できることから、ＲＲＣ  Ｒｅｃｏｎｆｉｇの頻度を少なくすることができる。例えば、基地局１００は、ＰＤＣＣＨ端末２００が極めて少なくなったら、ＡＩにより常に式（２）に基づくＡ／Ｎリソースを使用するようＥ−ＰＤＣＣＨ端末２００に指示しておけばよい。すなわち、この場合でも、ＲＲＣ  Ｒｅｃｏｎｆｉｇによって、ＰＤＣＣＨ端末のＤ−Ａ／Ｎ領域を変更する必要がない。Ｅ−ＰＤＣＣＨ端末２００の間で同じｅＣＣＥに制御情報をマッピングすることは無いから、Ｅ−ＰＤＣＣＨ端末２００の間でのＡ／Ｎ衝突は生じない。
【０１１８】
また、実施の形態１によれば、従前のＰＤＣＣＨ端末は改変なく通信システムに加わることができる。すなわち、実施の形態１の通信システムでは、ＰＤＣＣＨに新たなビットを追加する必要が無いため、ＰＤＣＣＨのカバレッジを維持できる。また、ＰＤＣＣＨのスケジューラは、Ｅ−ＰＤＣＣＨが無い場合と同様に行えばよく、Ｅ−ＰＤＣＣＨ導入前の従前の端末の動作には影響がない。
【０１１９】
（変形例１）
なお、実施の形態１の通信システムは、次のような変更を行っても、同様の効果を得ることができる。
【０１２０】
例えば、式（２）の関数ｆは、式（１）とは異なる任意の関数を適用しても良い。例えば、式（３）、（４）の関数ｆなどとしても良い。
【０１２１】
【数３】
2013168405.tif 000005
【数４】
2013168405.tif 000006
ここで、Ｘは正の整数である。
【０１２２】
また、Ｅ−ＰＤＣＣＨのチャネル要素に対するｅＣＣＥ番号の与え方は、任意の与え方を採用しても良い。例えば、周波数リソースブロックに閉じて番号付けがされたｅＣＣＥ番号ｎＰＲＢｅＣＣＥとしてもよいし、端末２００ごとに閉じて番号付けがされたｅＣＣＥ番号ｎＵＥｅＣＣＥとしてもよい。
【０１２３】
さらにｅＣＣＥ番号の代わりに、ｅＣＣＥよりも小さなリソース単位、ｅＲＥＧ（enhanced Resource Element Group）のインデックスに基づきＡ／Ｎリソースを決定する関数であってもよい。ｅＲＥＧとは、Ｅ−ＰＤＣＣＨにおけるＲＥＧ（Resource Element Group）である。
【０１２４】
また、関数ｆは、ｅＣＣＥ番号またはｅＲＥＧ番号だけでなく、アンテナポートの番号をパラメータとする関数であってもよい。
【０１２５】
関数ｆおよびｅＣＣＥ番号（またはｅＲＥＧ番号）の与え方は、予め定められたものとしてもよいし、基地局１００により設定および変更可能なものであってもよい。
【０１２６】
（変形例２）
また、実施の形態１では、ＡＩは１ビットで足りる情報として説明したが、ＡＩは複数ビットとしてもよい。複数ビットとした場合、単一の関数（式（２））に基づきｅＣＣＥ番号に紐付けたＡ／Ｎリソースを指示するだけでなく、複数の異なる関数でｅＣＣＥ番号に紐付けたＡ／Ｎリソースを指示することが可能となる。
【０１２７】
例えばＡＩが２ビット（４値）のとき、基地局１００はＡＩの値により下記のように端末２００へ指示を与えることができる。
【０１２８】
【数５】
2013168405.tif 000007
ここで、例えば、関数ｆ１、ｆ２は、ｆ１（ａ、ｂ）＝ａ＋ｂ、ｆ２（ａ、ｂ）＝ａ＋ｂ＋１などを採用することができる。また、関数ｆ１、ｆ２としては、式（３）、（４）の関数を採用してもよい。
【０１２９】
このような構成とすることで、より柔軟なＡ／Ｎリソースの選択が可能となる。また、異なる端末２００のＰＤＣＣＨを連続するＣＣＥにマッピングすることは稀であるため、ｆ１（ａ、ｂ）＝ａ＋ｂ、ｆ２（ａ、ｂ）＝ａ＋ｂ＋１などと設定しておけば、基地局１００は、Ａ／Ｎ衝突のない割り当てを少ない演算で見つけることができる。
【０１３０】
さらに、このような場合においても、複数の異なる関数は予め定められるものであっても良いし、基地局１００からの通知に応じて変更可能な関数であっても良い。
【０１３１】
（変形例３）
また、実施の形態１では、Ａ／Ｎリソースの選択方法を明示的に指示するＡＩをＥ−ＰＤＣＣＨの制御情報に含めた構成を例にとって説明したが、次の特徴を有するルールに基づいて、Ａ／Ｎリソースの選択方法を切り替えるようにしてもよい。
【０１３２】
特徴：スケジューリング自由度が高いモードで送信されたときには、式（２）のＡ／Ｎリソースを用い、自由度の低いモードで送信されたときには、ＲＲＣ通知のＡ／Ｎリソースを用いる。
【０１３３】
具体的には、次の（１）−（３）の条件によって、スケジューリング自由度の高いモードと低いモードとを識別することができる。
【０１３４】
（１）ＬｏｃａｌｉｚｅｄモードでＥ−ＰＤＣＣＨの無線信号が送信されたときには、ｅＣＣＥ番号紐付けのＡ／Ｎリソースを用い、ＤｉｓｔｒｉｂｕｔｅｄモードでＥ−ＰＤＣＣＨの無線信号が送信されたときＲＲＣで通知されたＡ／Ｎリソースを用いる。ここで、Ｌｏｃａｌｉｚｅｄモードとは、特定のＰＲＢ（物理リソースブロック）のみにＥ−ＰＤＣＣＨが配置されるモードであり、ｅＣＣＥ番号の割り振りは端末２００間で異なるものとなる。Ｄｉｓｔｒｉｂｕｔｅｄモードとは、複数のＰＲＢにまたがってＥ−ＰＤＣＣＨが配置されるモードであり、ｅＣＣＥ番号の割り振りは複数の端末２００間で共通になる。
【０１３５】
Ｌｏｃａｌｉｚｅｄモードは制御情報を特定の周波数リソースに固めて配置する運用であり、制御情報を多数の周波数リソースに分散配置するＤｉｓｔｒｉｂｕｔｅｄモードに比べて、スケジューリング自由度が高い。
【０１３６】
（２）Ｅ−ＰＤＣＣＨのＡｇｇｒｅｇａｔｉｏｎ  ｌｅｖｅｌが低いときには、ｅＣＣＥ番号紐付けのＡ／Ｎリソースを用い、Ａｇｇｒｅｇａｔｉｏｎ  ｌｅｖｅｌが高いときには、ＲＲＣで通知されたＡ／Ｎリソースを用いる。Ｅ−ＰＤＣＣＨのＡｇｇｒｅｇａｔｉｏｎ  ｌｅｖｅｌが高いときとは、基地局１００が、制御情報の符号化率を低くし、多くのｅＣＣＥを使用して制御情報を送信するときである。Ａｇｇｒｅｇａｔｉｏｎ  ｌｅｖｅｌが低いほど、制御情報のサイズが小さくなるため、スケジューリングの自由度が高くなる。
【０１３７】
（３）ＵＥ固有サーチスペースで送信されたときには、ｅＣＣＥ番号紐付けのＡ／Ｎリソースを用い、共通サーチスペースで送信されたときには、ＲＲＣで通知されたＡ／Ｎリソースを用いる。ＵＥ固有サーチスペースの方が共通サーチスペースよりも広いため、スケジューリングの自由度が高くなる。
【０１３８】
なお、Ａ／Ｎリソースの選択方法を切り替える条件は、予め（１）−（３）の何れかの条件に定められていてもよいし、基地局１００からの通知によって、何れかの条件に設定および変更可能としてもよい。
【０１３９】
このような構成とすることで、Ｅ−ＰＤＣＣＨのスケジューリング自由度が大きいときには、スケジューリングによって、ＰＤＣＣＨ端末２００とＥ−ＰＤＣＣＨ端末２００とのＡ／Ｎ衝突を回避しつつ、ＰＵＳＣＨの帯域の低減を回避できる。また、Ｅ−ＰＤＣＣＨのスケジューリング自由度が小さいときには、ＲＲＣ通知Ａ／Ｎリソースを使用することで、ＰＤＣＣＨ端末２００とＥ−ＰＤＣＣＨ端末２００とのＡ／Ｎ衝突を確実に回避できる。
【０１４０】
従って、このような構成とすることで、ＡＩビットを追加せずとも、ＰＵＳＣＨの帯域を無駄に低減することなく、ＰＤＣＣＨ端末２００とＥ−ＰＤＣＣＨ端末２００とのＡ／Ｎ衝突を回避することができる。
【０１４１】
（実施の形態２）
＜本発明に係る一形態を得るに至った経緯＞
先ず、実施の形態２の具体的な構成および動作を説明する前に、Ｅ−ＰＤＣＣＨが採用された場合のＡ／Ｎリソースの割当方法として、本発明者らが着目した一つの方法について説明する。
【０１４２】
Ｅ−ＰＤＣＣＨによる端末収容数の増加が期待されている運用として、ＣｏＭＰシナリオ４がある。ＣｏＭＰシナリオ４に対応した通信システムの構成例を図１４に示す。まずここでは、Ｅ−ＰＤＣＣＨを用いない場合の例を示している。大きなセルを形成するマクロ基地局（以下、ＣｏＭＰシナリオ４におけるマクロ基地局をマクロノード、ピコ基地局をピコノードと記載する）のセル内に、複数のピコノードが配置される。ＣｏＭＰシナリオ４では、これらのノードが単一のセルＩＤにて運用される。このとき複数のノードを用いて下り回線の協調送信や上り回線の協調受信を行うことができるため、端末のリンク状態を良好に保つことができる。したがって、ＣｏＭＰシナリオ４は、広い範囲で端末あたり高いスループットを達成できるものと期待されている。
【０１４３】
ところがＣｏＭＰシナリオ４では、従来のＰＤＣＣＨで制御する端末の間のＡ／Ｎ信号が干渉するという問題が指摘されている（非特許文献４を参照）。これは、端末が受信ノードまでのパスロスを正しく測定できず、適切な送信電力制御を行えないためである。端末は、ＣＲＳ（Cell-specific reference signal）の受信電力に基づきパスロスを推定し、そのパスロスを補償する送信電力でＡ／Ｎ信号をＰＵＣＣＨにより送信する。ＣｏＭＰシナリオ４においては、マクロノードのみがＣＲＳを送信するか、マクロノードおよびピコノードが一斉に同一のＣＲＳを送信するかの２ケースがあるが、いずれの場合においても受信ノードまでのパスロスを正しく推定できない。したがって特に、ピコノード近傍の端末とマクロセルエッジの端末の間で、受信電力に大きな差が生じる。この様子を図１５に示す。２つの端末のＡ／Ｎ信号が符号多重されている場合、大きく異なる電力で送信されたＡ／Ｎ信号がピコノードで受信されると、互いに干渉が生じる（遠近問題）。これによりＡ／Ｎ信号が正しく受信できず、下り回線のスループットが大幅に劣化するという課題が指摘されている。
【０１４４】
そこでこれまで、Ａ／Ｎ信号の干渉を回避するために、式（１）のオフセット値Ｎをセル固有の値でなく、端末個別のシグナリングで与える方法が提案されている（非特許文献５を参照）。これにより、図１６のように、ノード近傍の端末とそれ以外の端末とでＤ−Ａ／Ｎの領域をずらし、符号多重を行わず、周波数多重することが可能となる。
【０１４５】
図１６は、ＰＤＣＣＨ端末用に２つのＤ−Ａ／Ｎ領域を設定した例の説明図である。
【０１４６】
具体的な実現法としては、一部の端末に次式を用いる方法がある。
【０１４７】
【数６】
2013168405.tif 000008
ここで、Ｎ’は端末個別のＲＲＣシグナリング等により通知されるＡ／Ｎリソースオフセットパラメータである。図１６に示すように、「Ｎ」と「Ｎ’」とを離すことでノード近傍端末用のＤ−Ａ／Ｎ領域と、通常の端末用のＤ−Ａ／Ｎ領域とを分離することができる。Ｎ’としては、他に、ノード近傍端末用のＤ−Ａ／Ｎ領域の起点となる周波数リソースブロック番号を直接指示するパラメータを用いても良い。
【０１４８】
ただし、Ｄ−Ａ／Ｎ領域を複数に分割すると、ＰＵＳＣＨに使用できる周波数リソースが減少するという欠点がある。図１６の例においてもＤ−Ａ／Ｎ領域が２倍に増加するため、その分ＰＵＳＣＨ送信可能リソースが減少している。そのうえでさらにＥ−ＰＤＣＣＨを導入し、同時収容する端末数を増加させてしまうと、さらに多くのＡ／Ｎリソースを確保しなければならなくなる。
【０１４９】
図１７は、ＣｏＭＰシナリオ４に対応したＥ−ＰＤＣＣＨの運用例を示した説明図である。
【０１５０】
ＣｏＭＰシナリオ４では、図１７に示すように、Ｅ−ＰＤＣＣＨは主にノード近傍の端末に対して使用されることが想定されている（図１７中、Ｅ−ＰＤＣＣＨ端末を黒色で示している）。Ｅ−ＰＤＣＣＨを用いることで図のように収容端末数の増加できるが、代わりに上り回線におけるＰＵＳＣＨのリソースを失うという結果につながるという課題が生じる。
【０１５１】
本実施の形態２の通信システムは、ＣｏＭＰシナリオ４に対応して、ＰＤＣＣＨ端末とＥ−ＰＤＣＣＨ端末のＡ／Ｎ信号が衝突する確率をゼロに保ちつつ、ＰＤＣＣＨ端末とＥ−ＰＤＣＣＨ端末のＡ／Ｎリソース利用効率を高めるということを目的としている。
【０１５２】
［通信システムの概要］
実施の形態２の通信システムは、図１７に示すように、１つまたは複数のノード（マクロ基地局、ピコ基地局）と複数の端末とから構成される。
【０１５３】
ピコ基地局は、ＲＲＨ（Remote radio head）のようなものであっても良い。マクロ基地局とピコ基地局とは、光ファイバのような低遅延大容量インターフェースで接続され、ＣｏＭＰセットを形成しているものとする。また、実施の形態２では、ＣｏＭＰセット内のノードは全て同一のセルＩＤで運用されるケース（すなわちＣｏＭＰシナリオ４）を想定する。すなわち、ＣｏＭＰセット内のＰＤＣＣＨ端末２００は単一のＰＤＣＣＨにて制御されるものとする。以下では説明が煩雑になることを避けるために、実施の形態１と同様の構成には同一の符号を付して、実施の形態１との差分のみ説明する。
【０１５４】
［基地局の構成］
基地局（マクロ基地局、ピコ基地局）１００の構成は、主に、制御部１１０の処理内容が異なるだけで、他は実施の形態１と同様である。ただし、マクロセル内に複数の基地局１００が配置され、前述のように、それらは低遅延大容量インターフェースで接続され、ＣｏＭＰセットを形成している。制御部１１０の処理内容については続く動作の説明で詳述する。
【０１５５】
［端末の構成］
端末２００の構成は、主に、制御部２２０の処理内容が異なるだけで、他は実施の形態１と同様である。制御部２２０の処理内容については続く動作の説明で詳述する。
【０１５６】
［動作］
本実施の形態２の基地局１００及び端末２００の処理フローをステップ（１）〜（６）で説明する。
【０１５７】
図１８は、実施の形態２におけるＰＤＣＣＨの制御情報のマッピング例を示す図である。図１９は、実施の形態２におけるＰＤＣＣＨ端末へのＡ／Ｎリソースの割当て例を示す図である。図２０は、実施の形態２におけるＥ−ＰＤＣＣＨ端末およびＰＤＣＣＨ端末へのＡ／Ｎリソースの割当て例を説明する図である。
【０１５８】
ステップ（１）：基地局１００はＰＤＳＣＨの送受信よりも前に、各端末２００に対し制御情報をＰＤＣＣＨで送信するかＥ−ＰＤＣＣＨで送信するかを通知しておく。なお、Ｅ−ＰＤＣＣＨで送信しない端末２００には、特に通知を行わなくても良い。端末２００も、特に通知が無ければＰＤＣＣＨで制御情報が送信されたものとして受信する。実施の形態２では、図１９に示すように、複数のＤ−Ａ／Ｎ領域Ｄ０、Ｄ１を用いてＰＤＣＣＨ端末２００のＡ／Ｎリソースを確保する。したがって、ＰＤＣＣＨで送信することを通知した一部の端末２００に対し、セル固有のパラメータにより定まるＤ−Ａ／Ｎ領域Ｄ０でないＤ−Ａ／Ｎ領域Ｄ１を指示するためのパラメータを通知する。具体的には、式（５）における「Ｎ’」を端末個別のＲＲＣシグナリングなどにより通知する。これにより、ノード近傍の端末２００とそうでない端末２００とでＤ−Ａ／Ｎ領域Ｄ０、Ｄ１を明確に分離し、符号多重しないようにする（図１９）。特に通知が無い場合には、端末２００は、セル固有のパラメータＮを用いる。つまり、式（１）に基づきＤ−Ａ／Ｎリソースの割当てが行われる。
【０１５９】
ステップ（２）：また、基地局１００は、ＰＤＳＣＨの送受信よりも前に、制御情報をＥ−ＰＤＣＣＨで送信することを通知した端末２００に対し、複数のリソースオフセットパラメータを通知する。具体的には式（２）におけるリソースオフセットパラメータＮｅとして２つの値（以降、区別するために「Ｎｅ」と「Ｎｅ’」と記載する（図２０を参照））を、端末個別のＲＲＣシグナリングなどにより通知する。
【０１６０】
パラメータＮ、Ｎ’、Ｎｅ、Ｎｅ’は、図２０に示すように設定される。すなわち、基地局１００は、ＰＤＣＣＨ端末用の通常のＤ−Ａ／Ｎ領域Ｄ０と、Ｅ−ＰＤＣＣＨ端末用の一つのＤ−Ａ／Ｎ領域Ｄ２との大半（全部でもよい）が重複するようにパラメータを設定する。また、基地局１００は、受信局近傍のＰＤＣＣＨ端末用のＤ−Ａ／Ｎ領域Ｄ１と、Ｅ−ＰＤＣＣＨ端末用の別のＤ−Ａ／Ｎ領域Ｄ３との大半（全部でもよい）が重複するようにパラメータを設定する。ここで、２つのＤ−Ａ／Ｎ領域Ｄ０、Ｄ１は周波数領域で互いに分離され、２つのＤ−Ａ／Ｎ領域Ｄ２、Ｄ３は周波数領域で互いに分離されるように設定される。
【０１６１】
ステップ（３）：基地局１００は、スケジューリング結果を含む制御情報を各端末２００宛に生成し、ＰＤＣＣＨおよびＥ−ＰＤＣＣＨにマッピングする。はじめに、基地局１００は、図１８に示すように、ＰＤＣＣＨへ制御情報のマッピングを行う。ブラインド復号を行うＣＣＥ領域は端末２００ごとに異なるため、端末２００ごとに復号可能な領域にそれぞれの制御情報をマッピングする。
【０１６２】
このとき、ＰＤＣＣＨ端末２００の間で同一のＣＣＥに制御情報がマッピングされることは無いため、式（１）に基づくＡ／Ｎリソースを用いている限り、ＰＤＣＣＨ端末２００の間でＡ／Ｎリソースが衝突することは無い。また、ステップ（１）においてノード近傍の端末２００とそうでない端末２００とでＡ／Ｎが符号多重されないよう複数のＤ−Ａ／Ｎ領域Ｄ０、Ｄ１へ分離しているので、ＰＵＣＣＨの電力差による干渉も生じない。
【０１６３】
次に、基地局１００は、Ｅ−ＰＤＣＣＨへ制御情報のマッピングを行う。Ｅ−ＰＤＣＣＨにおいても、ブラインド復号を行うｅＣＣＥ領域は端末２００ごとに異なるため、端末２００ごとに復号可能な領域にそれぞれの制御情報のマッピングを試みる。Ｅ−ＰＤＣＣＨにおけるブラインド復号は、ＰＤＣＣＨにおけるブラインド復号と同様に行われる。
【０１６４】
このときＥ−ＰＤＣＣＨ端末２００へのマッピングに際しては、基地局１００は、式（２）においてパラメータＮｅ’を用いた場合に、ＰＤＣＣＨ端末２００のＡ／Ｎリソースと衝突が生じないかどうか確認する。衝突が起こらなければこのマッピングを採用し、端末２００に対しＡＩにより式（２）および「Ｎｅ’」に基づくＡ／Ｎリソースを使用するよう指示する。一方、Ａ／Ｎ信号が衝突する場合には、ＡＩにより式（２）および「Ｎｅ」に基づくＡ／Ｎリソースを使用するよう指示する。
【０１６５】
ここで、マクロセルエッジに位置する端末（図１８で「マクロ端末」と記す）２００と、受信局近傍に位置する端末（図１８で「Ｐｉｃｏ端末」と記す）２００とに、ＰＤＣＣＨの制御情報が送信される場合について検討する。この場合、図１８および図１９に示すように、マクロ端末２００には、制御情報に対応したＤ−Ａ／ＮリソースＲ１ａ、Ｒ１ｂのうち、通常のＤ−Ａ／Ｎ領域Ｄ０内の該当リソースＲ１ａが割り当てられる。また、Ｐｉｃｏ端末２００には、制御情報に対応したＤ−Ａ／ＮリソースＲ２ａ、Ｒ２ｂのうち、受信局近傍端末用のＤ−Ａ／Ｎ領域Ｄ１内の該当リソースＲ２ｂが割り当てられる。このとき、図１８に示すように、マクロ端末２００の制御情報とＰｉｃｏ端末２００の制御情報とは、ＰＤＣＣＨの別のＣＣＥにマッピングされている。よって、ＰＤＣＣＨ端末２００だけが存在する場合には、２つのＤ−Ａ／Ｎ領域Ｄ０、Ｄ１のうち、一方の領域でＤ−Ａ／Ｎリソースが割り当てられた場合には、それに対応する他方の領域のＤ−Ａ／Ｎリソースは必ず空くことになる。例えば、図１９の例では、Ｄ−Ａ／ＮリソースＲ１ｂ、Ｒ２ａが必ず空くことになる。
【０１６６】
従って、ステップ（３）のＡＩによるＥ−ＰＤＣＣＨ端末２００のＡ／Ｎリソースの振り分けを行うことで、Ｅ−ＰＤＣＣＨ端末２００のＤ−Ａ／ＮリソースはＰＤＣＣＨ端末用のＤ−Ａ／Ｎ領域Ｄ０、Ｄ１の空きリソースに収容されることになる。よって、Ｅ−ＰＤＣＣＨ端末２００のＤ−Ａ／ＮリソースとＰＤＣＣＨ端末２００のＤ−Ａ／Ｎリソースとは衝突しないことになる。
【０１６７】
ステップ（４）：全ての端末２００の制御情報マッピングが終了したら、基地局１００は下り回線で信号を送信する。
【０１６８】
ステップ（５）：端末２００は、受信信号から自端末宛の制御情報を得て、データ信号の抽出および復号を行う。同時に、制御情報をもとに受信データのＡ／Ｎ信号を送信する符号および周波数のリソースを特定する。特にＥ−ＰＤＣＣＨ端末２００は、制御情報に含まれるＡＩから、式（２）のリソースオフセットパラメータとして、「Ｎｅ」または「Ｎｅ’」のどちらの値を代入したときのＡ／Ｎリソースを用いるか決定する。
【０１６９】
ステップ（６）：端末２００は、データ信号の判定結果に応じてＡＣＫまたはＮＡＣＫを特定し、上記のように特定したＡ／Ｎリソース（符号および周波数のリソース）を用いてＡ／Ｎ信号を送信する。
【０１７０】
［効果］
以上のように、実施の形態２の通信システムによれば、ＡＩの指示に基づきＥ−ＰＤＣＣＨ端末２００のＤ−Ａ／Ｎリソースを決定するリソースオフセットパラメータが、「Ｎｅ」または「Ｎｅ’」に切り替えられる。そして、この切り替えにより、Ｅ−ＰＤＣＣＨ端末２００のＡ／Ｎ信号とＰＤＣＣＨ端末２００のＡ／Ｎ信号とが衝突することなく、Ｅ−ＰＤＣＣＨ端末２００のＡ／Ｎ信号をＤ−Ａ／Ｎ領域Ｄ２またはＤ３に収容することができる。ここで、ＰＤＣＣＨ端末用のＤ−Ａ／Ｎ領域Ｄ０、Ｄ１と、Ｅ−ＰＤＣＣＨ端末用のＤ−Ａ／Ｎ領域Ｄ２、Ｄ３とは、重複するように設定されているので、ＰＵＳＣＨの帯域を無駄に小さくすることがない（図２０を参照）。
【０１７１】
また、実施の形態２の通信システムによれば、ＡＩの選択によりＰＤＣＣＨ端末２００のＤ−Ａ／Ｎ領域で空いているＡ／Ｎリソースが埋まるから、高いＡ／Ｎリソース利用効率を達成できる。
【０１７２】
また、実施の形態２の通信システムによれば、実施の形態１で必要だったＲＲＣ通知のＡ／Ｎリソースを不要としながらも、ＰＤＣＣＨ端末２００とＥ−ＰＤＣＣＨ端末２００のＡ／Ｎ信号が衝突する可能性をゼロにできる。さらに、この通信システムでは、ＲＲＣ通知のＡ／Ｎリソースが無い分、ＰＵＳＣＨの周波数リソースを広く確保することができる。また、この通信システムでは、ＲＲＣ通知のＡ／Ｎリソースが無いので、ＲＲＣ  Ｒｅｃｏｎｆｉｇの頻度をさらに下げることができる。
【０１７３】
（変形例１）
なお、実施の形態２の通信システムは、次のような変更を行っても、同様の効果を得ることができる。
【０１７４】
例えば、ＡＩによって切り替えられるパラメータは、式（２）のパラメータＮｅに代入する値だけでなく、ＺＡＣ系列および巡回シフトホッピングパターンを定めるパラメータ（ここでは、セルＩＤになぞらえて「バーチャルセルＩＤ（ＶＣＩＤ）」と呼ぶ）を含めても良い。すなわち、基地局１００は、予め｛Ｎｅ’、ＶＣＩＤ｝をパラメータセットとして複数の端末２００に通知しておき、ＡＩは、パラメータセット｛Ｎｅ、セルＩＤ｝または｛Ｎｅ’、ＶＣＩＤ｝を選択するビットとして用いても良い。
【０１７５】
この構成は、次のような背景に対応するためのものである。すなわち、Ｒｅｌ．１１では、ＰＵＣＣＨのＺＡＣ系列および巡回シフトホッピングパターンを定めるセル共通のパラメータ（セルＩＤ）を端末個別に与えられるパラメータ（バーチャルセルＩＤ）とすることが検討されている。また、Ｄ−Ａ／Ｎ領域におけるＡ／Ｎリソースの使用密度を定めるセル固有のパラメータΔｓｈｉｆｔＰＵＣＣＨも、端末個別に与えることが検討されている。パラメータΔｓｈｉｆｔＰＵＣＣＨは、例えば、隣接する２つのＡ／Ｎリソース間の巡回シフト量の間隔を指示するパラメータであり、通信品質に応じて大小に切り替えられる。ＰＤＣＣＨ端末２００が用いる上記の各パラメータがＤ−Ａ／Ｎ領域ごとに異なる場合には、Ｅ−ＰＤＣＣＨ端末２００のＺＡＣ系列および巡回シフトホッピングパターン等もそれに合わせなければ、ＰＵＣＣＨを直交多重できなくなる。
【０１７６】
そこで、変形例１の通信システムでは、ＺＡＣ系列および巡回シフトホッピングパターン等を定めるパラメータをセットで通知しておき、ＡＩにより、これらパラメータセットを切り替える。それにより、切り替え前後のＤ−Ａ／Ｎ領域いずれにおいても、常にＥ−ＰＤＣＣＨ端末２００のＰＵＣＣＨをＰＤＣＣＨ端末２００のものと直交させることができる。
【０１７７】
（変形例２）
また、実施の形態２の通信システムにおいては、ＡＩにより切り替えられるパラメータセットに、送信電力のオフセットを含めてもよい。
【０１７８】
ＣｏＭＰシナリオ４では、各Ｄ−Ａ／Ｎ領域に適する送信電力が異なるため、そのままではＥ−ＰＤＣＣＨ端末２００のＡ／Ｎ信号がＰＤＣＣＨ端末２００のＡ／Ｎ信号に干渉を与える恐れがある。そこで、変形例２の通信システムによれば、パラメータセットに適切な送信電力となるようなオフセット値を含めておくことで、このような干渉を回避することができる。
【０１７９】
また、ＣｏＭＰシナリオ４では、異なるバーチャルセルＩＤが適用される複数のピコセル間、セルＩＤが異なる隣接するマクロセル間においても、Ｅ−ＰＤＣＣＨ端末２００のＡ／Ｎ信号とＰＤＣＣＨ端末２００のＡ／Ｎ信号とは干渉する恐れがある。しかしながら、変形例２の通信システムによれば、送信電力のオフセットにより、Ｅ−ＰＤＣＣＨ端末は過剰な送信電力に設定されないため、他セルに与える干渉を低減することができる。
【０１８０】
なお、ここでは、送信電力のオフセットをパラメータセットに含める例を説明したが、含めるパラメータは、パスロス推定用の参照信号、送信電力制御コマンド（ＴＰＣ）の累積値、電力制御パラメータなど、端末２００の送信電力を変えられるパラメータであればどのようなものであっても良い。
【０１８１】
（その他の変形例）
また、実施の形態２では、複数のＤ−Ａ／Ｎ領域Ｄ０〜Ｄ３を指定するパラメータとして、式（１）、（２）、（５）のリソースオフセットＮ、Ｎ’、Ｎｅを用いた例を説明した。しかしながら、複数のＤ−Ａ／Ｎ領域Ｄ０〜Ｄ３の指定は、他のパラメータ、例えば周波数リソースブロックを直接指示するようなパラメータを用いて行ってもよい。
【０１８２】
Ａ／Ｎリソース番号に比べて周波数リソースブロック番号は範囲が小さい。よって、この変形例により、シグナリングオーバーヘッドを低減できる。
【０１８３】
また、通信システムとしては、実施の形態１のＡ／Ｎリソースの割当て方法と、実施の形態２のＡ／Ｎリソースの割当て方法とを動的に選択する通信システムを採用してもよい。例えば、Ｅ−ＰＤＣＣＨ端末２００は、予め複数のＤ−Ａ／Ｎ領域を指示するパラメータが通知されている場合には実施の形態２のように動作し、複数のＤ−Ａ／Ｎ領域は指示されず、予め特定のＡ／Ｎリソースを指示するパラメータが通知されている場合には実施の形態１のように動作する構成とする。
【０１８４】
このような通信システムによれば、必要に応じて、ＣｏＭＰシナリオ４においてもＲＲＣ通知Ａ／Ｎリソースを確保することができる。
【０１８５】
また、実施の形態２の変形例１では、予め端末２００に１組のパラメータセット｛Ｎｅ’、ＶＣＩＤ｝を通知しておき、ＡＩによってセル固有のパラメータセット｛Ｎｅ、セルＩＤ｝と通知したパラメータセット｛Ｎｅ’、ＶＣＩＤ｝とを切り替える構成とした。しかしながら、端末２００へは複数のパラメータセットを通知しておき、それらの中からＡＩによってパラメータが切り替えられる構成を採用してもよい。
【０１８６】
このような構成により、Ａ／Ｎ信号が送信されるＰＵＣＣＨのＣｏｎｆｉｇｕｒｔａｔｉｏｎ自由度を高めることができる。
【０１８７】
＜発明の一態様の概要＞
続いて、本発明に係る一態様の概要を記載する。
【０１８８】
本発明の第１態様は、
ＡＣＫ／ＮＡＣＫ指標を含んだ制御信号を拡張物理下り制御チャネルを介して受信する受信部と、
前記ＡＣＫ／ＮＡＣＫ指標に基づき、下りデータのＡＣＫ／ＮＡＣＫ信号を、動的に割り当てられる動的ＡＣＫ／ＮＡＣＫリソースを用いて送信するか、予め指定された指定リソースを用いて送信するかを決定する制御部と、
決定された前記動的ＡＣＫ／ＮＡＣＫリソースまたは前記指定リソースを用いて前記ＡＣＫ／ＮＡＣＫ信号を送信する送信部と、
を具備する無線通信端末である。
【０１８９】
第１態様によれば、Ｅ−ＰＤＣＣＨ端末のＡ／Ｎリソースの割当て方法をＡＣＫ／ＮＡＣＫ指標によって切り替えることができる。そして、この切り替えにより、ＰＤＣＣＨ端末とＥ−ＰＤＣＣＨ端末とのＡ／Ｎ信号の衝突が回避できる状況では、ＰＵＳＣＨの帯域を減らさない割り当てを行うことができる。また、その割当て方法で衝突が回避できない場合には、ＰＵＳＣＨの帯域を減らしてＡ／Ｎ信号の衝突を回避する割り当てを行うことができる。よって、Ａ／Ｎ信号の衝突の回避およびＡ／Ｎリソースの利用効率の向上に寄与できる。
【０１９０】
本発明の第２態様は、
前記拡張物理下り制御チャネルは、物理下りデータチャネルと周波数多重されたチャネルであり、
前記制御信号は、前記拡張物理下り制御チャネルを複数の要素に分割してなる複数の制御チャネル要素のうち任意の制御チャネル要素で送信され、
前記制御部は、上りチャネルに設けられた動的ＡＣＫ／ＮＡＣＫ領域に含まれる複数のリソースのうち、自機の制御信号が割り当てられた前記制御チャネル要素の番号に関連付けられたリソースを、前記動的ＡＣＫ／ＮＡＣＫリソースとして決定し、
前記ＡＣＫ／ＮＡＣＫ指標は、前記ＡＣＫ／ＮＡＣＫ信号を送信するリソースを切り替えるための情報である、
第１態様の無線通信端末である。
【０１９１】
第２態様によれば、Ｅ−ＰＤＣＣＨ端末の動的ＡＣＫ／ＮＡＣＫリソースを、ＰＤＣＣＨ端末のＤ−Ａ／Ｎリソースの割り当てと同様の処理で決定することができる。
【０１９２】
本発明の第３態様は、
前記動的ＡＣＫ／ＮＡＣＫ領域は、
物理下りデータチャネルと時間多重される物理下り制御チャネルを介して受信した制御信号に応じて、前記ＡＣＫ／ＮＡＣＫ信号を送信するリソースが動的に割り当てられるリソース領域と重複して設定される、
第２態様の無線通信端末である。
【０１９３】
第３態様によれば、動的ＡＣＫ／ＮＡＣＫリソースが選択されたときに、確実にＰＵＳＣＨの帯域の減少を抑えることができる。
【０１９４】
本発明の第４態様は、
前記指定リソースは、無線リソース制御の通知によって指定される、
第１態様の無線通信端末である。
【０１９５】
第４態様によれば、指定リソースの選択により、ＰＤＣＣＨ端末とＥ−ＰＤＣＣＨ端末とのＡ／Ｎ信号の衝突の回避を確実に回避させることができる。
【０１９６】
本発明の第５態様は、
前記動的ＡＣＫ／ＮＡＣＫ領域に含まれる複数のリソースとは、周波数リソースおよび符号リソースの両方又は一方からなる、
第２態様の無線通信端末である。
【０１９７】
第５態様によれば、ＰＤＣＣＨ端末のＤ−Ａ／Ｎリソースと同様に、Ｅ−ＰＤＣＣＨ端末用に多くの動的ＡＣＫ／ＮＡＣＫリソースを確保できる。
【０１９８】
本発明の第６態様は、
ＡＣＫ／ＮＡＣＫ指標を含んだ制御信号を拡張物理下り制御チャネルを介して受信する受信部と、
前記ＡＣＫ／ＮＡＣＫ指標に基づき、周波数領域で互いに分離された複数の動的ＡＣＫ／ＮＡＣＫ領域の中から何れかを選択し、選択された動的ＡＣＫ／ＮＡＣＫ領域に含まれる複数のリソースの中から、前記制御信号に応じて、下りデータのＡＣＫ／ＮＡＣＫ信号を送信する動的ＡＣＫ／ＮＡＣＫリソースを決定する制御部と、
選択された前記動的ＡＣＫ／ＮＡＣＫリソースにおける決定された前記動的ＡＣＫ／ＮＡＣＫリソースを用いて前記ＡＣＫ／ＮＡＣＫ信号を送信する送信部と、
を具備する無線通信端末である。
【０１９９】
第６態様によれば、ＰＤＣＣＨ端末用に複数のＤ−Ａ／Ｎ領域が設定されて、これら領域内のＡ／Ｎリソースがまばらに使用されるシステムにおいて、Ａ／Ｎリソースの利用効率を向上させつつＰＤＣＣＨ端末とＥ−ＰＤＣＣＨ端末とのＡ／Ｎ信号の衝突を回避することができる。
【０２００】
本発明の第７態様は、
前記複数の動的ＡＣＫ／ＮＡＣＫ領域は、
物理下りデータチャネルと時間多重される物理下り制御チャネルを介して受信した制御信号に応じて前記ＡＣＫ／ＮＡＣＫ信号を送信するリソースが動的に割り当てられる複数のリソース領域にそれぞれ重複して設定され、
前記複数のリソース領域は、周波数領域で互いに分離され、ＡＣＫ／ＮＡＣＫ信号の送信電力の大きさに応じて何れか１つのリソース領域が選択されて前記物理下り制御チャネルの制御信号に応じたリソースの割り当てが行われる、
第６態様の無線通信端末である。
【０２０１】
第７態様によれば、ＰＤＣＣＨ端末用のリソース領域における使用されていないＡ／Ｎリソースを、Ｅ−ＰＤＣＣＨ端末に割り当てることができ、Ａ／Ｎリソースの利用効率を確実に向上させることができる。
【０２０２】
本発明の第８態様は、
前記拡張物理下り制御チャネルは、物理下りデータチャネルと周波数多重されたチャネルであり、
前記制御信号は、前記拡張物理下り制御チャネルを複数の要素に分割してなる複数の制御チャネル要素のうち任意の制御チャネル要素で送信され、
前記制御部は、前記選択された動的ＡＣＫ／ＮＡＣＫ領域に含まれる複数のリソースのうち、自機の制御信号が割り当てられた前記制御チャネル要素の番号に関連付けられたリソースを、前記ＡＣＫ／ＮＡＣＫ信号を送信するリソースとして決定する、
第６態様の無線通信端末である。
【０２０３】
第８態様によれば、Ｅ−ＰＤＣＣＨ端末の動的ＡＣＫ／ＮＡＣＫリソースを、ＰＤＣＣＨ端末のＤ−Ａ／Ｎリソースの割り当てと同様の処理で決定することができる。
【０２０４】
本発明の第９態様は、
前記制御部は、
前記ＡＣＫ／ＮＡＣＫ指標に基づき、信号生成用のパラメータを切り替えて、切り替えた前記信号生成用のパラメータに基づいて前記ＡＣＫ／ＮＡＣＫ信号を生成する、
第６態様の無線通信端末である。
【０２０５】
第９態様によれば、ＰＤＣＣＨ端末におけるＡＣＫ／ＮＡＣＫ信号の信号生成用パラメータが複数のリソース領域で切り替えられる場合に、これらに合わせて、Ｅ−ＰＤＣＣＨ端末におけるＡＣＫ／ＮＡＣＫ信号の信号生成用パラメータを切り替えることができる。これにより、ＰＤＣＣＨ端末のＡＣＫ／ＮＡＣＫ信号とＥ−ＰＤＣＣＨ端末のＡＣＫ／ＮＡＣＫ信号との干渉を低減できる。
【０２０６】
本発明の第１０態様は、
前記信号生成用のパラメータには、前記ＡＣＫ／ＮＡＣＫ信号を拡散する際に使用される基本系列、前記基本系列の巡回シフト量の遷移パターン、前記ＡＣＫ／ＮＡＣＫ信号の送信リソースの配置密度の１つまたは複数が含まれる、
第９態様の無線通信端末である。
【０２０７】
第１０態様によれば、例えばＺＡＣ系列などの基本系列、ＣＳホッピングパターン、パラメータΔｓｈｉｆｔＰＵＣＣＨ等の切り替えに対応することができる。
【０２０８】
本発明の第１１態様は、
前記制御部は、
前記ＡＣＫ／ＮＡＣＫ指標に基づき、送信電力用パラメータを切り替えて、切り替えた前記送信電力用パラメータに基づいて前記ＡＣＫ／ＮＡＣＫ信号を送信する電力を決定する、
第６態様の無線通信端末である。
【０２０９】
第１１態様によれば、ＰＤＣＣＨ端末のＡＣＫ／ＮＡＣＫ信号の送信電力が複数のリソース領域で切り替えられる場合に、これらに合わせて、Ｅ−ＰＤＣＣＨ端末のＡＣＫ／ＮＡＣＫ信号の送信電力を切り替えることができる。これにより、ＰＤＣＣＨ端末のＡＣＫ／ＮＡＣＫ信号とＥ−ＰＤＣＣＨ端末のＡＣＫ／ＮＡＣＫ信号との干渉を低減できる。
【０２１０】
本発明の第１２態様は、
前記送信電力パラメータには、送信電力オフセット、パスロス推定用の参照信号、送信電力制御コマンド（ＴＰＣ）の累積値、電力制御パラメータの１つまたは複数が含まれる、
第１１態様の無線通信端末である。
【０２１１】
第１２態様によれば、Ｅ−ＰＤＣＣＨ端末のＡＣＫ／ＮＡＣＫ信号の送信電力を適宜なパラメータで切り替えることができる。
【０２１２】
本発明の第１３態様は、
無線通信端末から下りデータのＡＣＫ／ＮＡＣＫ信号を送信させるリソースを、下りリンクの制御信号に応じて動的に割り当てられる動的ＡＣＫ／ＮＡＣＫリソースとするか、予め指定された指定リソースとするかを判別する制御部と、
前記制御部の判別結果を表わすＡＣＫ／ＮＡＣＫ指標を含んだ制御信号を拡張物理下り制御チャネルで送信する送信部と、
を具備する基地局装置である。
【０２１３】
第１３態様によれば、Ｅ−ＰＤＣＣＨ端末のＡ／Ｎリソースの割当て方法をＡＣＫ／ＮＡＣＫ指標により切り替えることができる。そして、この切り替えにより、Ａ／Ｎ信号の衝突の回避およびＡ／Ｎリソースの利用効率の向上に寄与できる。
【０２１４】
本発明の第１４態様は、
無線通信端末から下りデータのＡＣＫ／ＮＡＣＫ信号を送信させるリソースを、周波数領域で互いに分離された複数の動的ＡＣＫ／ＮＡＣＫ領域のうち何れの動的ＡＣＫ／ＮＡＣＫ領域に割り当てるか判別する制御部と、
前記制御部の判別結果を表わすＡＣＫ／ＮＡＣＫ指標を含んだ制御信号を、拡張物理下り制御チャネルにおける前記ＡＣＫ／ＮＡＣＫ信号を送信させるリソースと関連付けられた制御チャネル要素で送信する送信部と、
を具備する基地局装置である。
【０２１５】
第１４態様によれば、ＰＤＣＣＨ端末用に複数のＤ−Ａ／Ｎ領域が設定されて、これら領域内のＡ／Ｎリソースがまばらに使用されるシステムにおいて、Ａ／Ｎリソースの利用効率を向上させつつＰＤＣＣＨ端末とＥ−ＰＤＣＣＨ端末とのＡ／Ｎ信号の衝突を回避することができる。
【０２１６】
本発明の第１５態様は、
ＡＣＫ／ＮＡＣＫ指標を含んだ制御信号を拡張物理下り制御チャネルを介して受信し、
前記ＡＣＫ／ＮＡＣＫ指標に基づき、下りデータのＡＣＫ／ＮＡＣＫ信号を、動的に割り当てられる動的ＡＣＫ／ＮＡＣＫリソースを用いて送信するか、予め指定された指定リソースを用いて送信するかを決定する、
リソース割当方法である。
【０２１７】
第１５態様によれば、Ｅ−ＰＤＣＣＨ端末のＡ／Ｎリソースの割当て方法をＡＣＫ／ＮＡＣＫ指標により切り替えることができる。そして、この切り替えにより、Ａ／Ｎ信号の衝突の回避およびＡ／Ｎリソースの利用効率の向上に寄与できる。
【０２１８】
本発明の第１６態様は、
ＡＣＫ／ＮＡＣＫ指標を含んだ制御信号を拡張物理下り制御チャネルを介して受信し、
前記ＡＣＫ／ＮＡＣＫ指標に基づき、周波数領域で互いに分離された複数の動的ＡＣＫ／ＮＡＣＫ領域の中から何れかを選択し、選択された動的ＡＣＫ／ＮＡＣＫ領域に含まれる複数のリソースの中から、前記制御信号に応じて、下りデータのＡＣＫ／ＮＡＣＫ信号を送信する動的ＡＣＫ／ＮＡＣＫリソースを決定する、
リソース割当方法である。
【０２１９】
第１６態様によれば、ＰＤＣＣＨ端末用に複数のＤ−Ａ／Ｎ領域が設定されて、これら領域内のＡ／Ｎリソースがまばらに使用されるシステムにおいて、Ａ／Ｎリソースの利用効率を向上させつつＰＤＣＣＨ端末とＥ−ＰＤＣＣＨ端末とのＡ／Ｎ信号の衝突を回避することができる。
【０２２０】
以上、本発明の各実施の形態について説明した。
【０２２１】
また、上記実施の形態では、本発明をハードウェアで構成する場合を例にとって説明したが、本発明はハードウェアとの連携においてソフトウェアで実現することも可能である。
【０２２２】
また、上記実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２２３】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０２２４】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０２２５】
２０１２年５月１０日出願の特願２０１２−１０８４４７の日本出願に含まれる明細書、図面および要約書の開示内容は、すべて本願に援用される。
【産業上の利用可能性】
【０２２６】
本発明は、移動体通信システムの無線通信端末、基地局装置およびリソース割当方法等に適用できる。
【符号の説明】
【０２２７】
１１  アンテナ
１２  制御情報生成部
１３  制御情報符号化部
１４、１７  変調部
１５  データ符号化部
１６  再送制御部
１８  サブフレーム構成部
１９  ＩＦＦＴ部
２０  ＣＰ付加部
２１  無線送信部
２２  無線受信部
２３  ＣＰ除去部
２４  逆拡散部
２５  相関処理部
２６  判定部
４１  アンテナ
４２  無線受信部
４３  ＣＰ除去部
４４  ＦＦＴ部
４５  抽出部
４６  データ復調部
４７  データ復号部
４８  判定部
４９  制御情報復調部
５０  制御情報復号部
５１  制御情報判定部
５２  制御処理部
５３  Ａ／Ｎ信号変調部
５４  １次拡散部
５５、６０  ＩＦＦＴ部
５６  ＣＰ付加部
５７  ２次拡散部
５８  多重部
５９  無線送信部
６１  ＣＰ付加部
６２  拡散部
１００  基地局
１１０  制御部
１２０  送信部
２００  端末
２１０  送信部
２２０  制御部
２３０  受信部
Ｄ０〜Ｄ３  Ｄ−Ａ／Ｎ領域
Ｒ１ａ、Ｒ２ａ、Ｒ１ｂ、Ｒ２ｂ  Ｄ−Ａ／Ｎリソース
【図１】
2013168405.tif 000009
【図２】
2013168405.tif 000010
【図３】
2013168405.tif 000011
【図４】
2013168405.tif 000012
【図５】
2013168405.tif 000013
【図６】
2013168405.tif 000014
【図７】
2013168405.tif 000015
【図８】
2013168405.tif 000016
【図９】
2013168405.tif 000017
【図１０】
2013168405.tif 000018
【図１１】
2013168405.tif 000019
【図１２】
2013168405.tif 000020
【図１３】
2013168405.tif 000021
【図１４】
2013168405.tif 000022
【図１５】
2013168405.tif 000023
【図１６】
2013168405.tif 000024
【図１７】
2013168405.tif 000025
【図１８】
2013168405.tif 000026
【図１９】
2013168405.tif 000027
【図２０】
2013168405.tif 000028
【国際調査報告】
2013168405.tif 000029
2013168405.tif 000030
2013168405.tif 000031